(57)【要約】      （修正有）【課題】拡張セル間干渉制御（ｅＩＣＩＣ）のための発展型ノードＢ（ｅＮＢ）間の適応リソースネゴシエーションをサポートする技術を提供する。【解決手段】リソースネゴシエーションは、ｅＮＢ間のネットワークバックホールを通じて、場合によっては無線メッセージ（ＯＡＭ）を使用して行われる。第１のｅＮＢは、それの適応リソースパーティショニング情報（ＡＲＰＩ）を第２のｅＮＢに提案することができ、第２のｅＮＢは、提案されたリソースパーティショニングを承認するまたは拒否することができる。第２のｅＮＢが提案されたパーティショニングを承認する場合、第２のｅＮＢは、承認されたパーティショニングに基づいて、サブフレームなどのリソースをスケジュールすることができる。【選択図】図７
2015136134.tif 000002
【特許請求の範囲】
【請求項１】
ワイヤレス通信のための方法であって、
第１の基地局から、第２の基地局にリソースステータスメッセージを送ることと、
前記第１の基地局において、前記第２の基地局から、前記第１の基地局と前記第２の基地局との間の提案されたリソースパーティショニングを示すメッセージを受信することであって、前記提案されたリソースパーティショニングが前記リソースステータスメッセージに基づく、受信することと、
前記受信したリソースパーティショニングに基づいて前記第１の基地局においてリソースをスケジュールすることと
を備える、ワイヤレス通信のための方法。
【請求項２】
前記第１の基地局から前記第２の基地局に、前記提案されたリソースパーティショニングが前記第１の基地局によって承認されたという通知を送ることをさらに備える、請求項１に記載の方法。
【請求項３】
前記メッセージを受信する前に前記第２の基地局から、前記第１の基地局と前記第２の基地局との間の他の提案されたリソースパーティショニングを示す別のメッセージを受信することと、
前記他の提案されたリソースパーティショニングを拒否することと、
前記第１の基地局から前記第２の基地局に、前記拒否された他の提案されたリソースパーティショニングの通知を送ることと
をさらに備える、請求項１に記載の方法。
【請求項４】
前記提案されたリソースパーティショニングを示す前記メッセージがＸ２バックホールを通じて受信される、請求項１に記載の方法。
【請求項５】
前記提案されたリソースパーティショニングを示す前記メッセージが無線メッセージ（ＯＡＭ）を通じて受信される、請求項１に記載の方法。
【請求項６】
前記第１の基地局と前記第２の基地局とを最初に関連付けるためにＸ２セットアッププロシージャを使用することをさらに備える、請求項１に記載の方法。
【請求項７】
前記使用することが、前記第２の基地局に前記第１の基地局のクラスまたはアクセスモードのうちの少なくとも１つを送ることを含む、請求項６に記載の方法。
【請求項８】
前記第１の基地局に関連したリソースステータスに関係する１つまたは複数のパラメータを決定することをさらに備え、前記リソースステータスメッセージが前記パラメータを示す、請求項１に記載の方法。
【請求項９】
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、請求項８に記載の方法。
【請求項１０】
前記スケジュールすることが、
前記第２の基地局によってカバーされる第１のエリア中の第１のユーザ機器（ＵＥ）について前記受信したリソースパーティショニングに基づいて前記リソースをスケジュールすることと、
前記第１の基地局によってのみカバーされる第２のエリア中の第２のＵＥについて前記第１の基地局によって決定される独立したリソースパーティショニングに基づいて前記リソースをスケジュールすることと
を含む、請求項１に記載の方法。
【請求項１１】
前記受信した提案されたリソースパーティショニングが、前記第２の基地局の１つまたは複数のオールモストブランクサブフレーム（ＡＢＳ）を含む、請求項１に記載の方法。
【請求項１２】
前記提案されたリソースパーティショニングを示す前記メッセージが、前記ＡＢＳを示す負荷情報メッセージを含む、請求項１１に記載の方法。
【請求項１３】
前記負荷情報メッセージが、前記ＡＢＳを示す情報要素（ＩＥ）を含む、請求項１２に記載の方法。
【請求項１４】
前記第１の基地局がピコ基地局またはフェムト基地局であり、前記第２の基地局がマクロ基地局である、請求項１に記載の方法。
【請求項１５】
ワイヤレス通信のための装置であって、
基地局にリソースステータスメッセージを送るための手段と、
前記基地局から、前記装置と前記基地局との間の提案されたリソースパーティショニングを示すメッセージを受信するための手段であって、前記提案されたリソースパーティショニングが前記リソースステータスメッセージに基づく、受信するための手段と、
前記受信したリソースパーティショニングに基づいてリソースをスケジュールするための手段と
を備える、ワイヤレス通信のための装置。
【請求項１６】
送るための前記手段は、前記基地局に、前記提案されたリソースパーティショニングが前記装置によって承認されたという通知を送るように構成される、請求項１５に記載の装置。
【請求項１７】
前記メッセージを受信する前に前記基地局から、前記装置と前記基地局との間の他の提案されたリソースパーティショニングを示す別のメッセージを受信するための手段と、
前記他の提案されたリソースパーティショニングを拒否するための手段と、をさらに備え、送るための前記手段が、前記基地局に、前記拒否された他の提案されたリソースパーティショニングの通知を送るように構成される、請求項１５に記載の装置。
【請求項１８】
前記提案されたリソースパーティショニングを示す前記メッセージがＸ２バックホールを通じて受信される、請求項１５に記載の装置。
【請求項１９】
前記提案されたリソースパーティショニングを示す前記メッセージが無線メッセージ（ＯＡＭ）を通じて受信される、請求項１５に記載の装置。
【請求項２０】
前記装置と前記基地局とを最初に関連付けるためにＸ２セットアッププロシージャを使用するための手段をさらに備える、請求項１５に記載の装置。
【請求項２１】
前記Ｘ２セットアッププロシージャを使用するための前記手段が、前記基地局に前記装置のクラスまたはアクセスモードのうちの少なくとも１つを送るように構成される、請求項２０に記載の装置。
【請求項２２】
前記装置に関連したリソースステータスに関係する１つまたは複数のパラメータを決定するための手段をさらに備え、前記リソースステータスメッセージが前記パラメータを示す、請求項１５に記載の装置。
【請求項２３】
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、請求項２２に記載の装置。
【請求項２４】
スケジュールするための前記手段が、
前記基地局によってカバーされる第１のエリア中の第１のユーザ機器（ＵＥ）について前記受信したリソースパーティショニングに基づいて前記リソースをスケジュールし、
前記装置によってのみカバーされる第２のエリア中の第２のＵＥについて前記装置によって決定される独立したリソースパーティショニングに基づいて前記リソースをスケジュールする
ように構成される、請求項１５に記載の装置。
【請求項２５】
前記受信した提案されたリソースパーティショニングが、前記基地局の１つまたは複数のオールモストブランクサブフレーム（ＡＢＳ）を含む、請求項１５に記載の装置。
【請求項２６】
前記提案されたリソースパーティショニングを示す前記メッセージが、前記ＡＢＳを示す負荷情報メッセージを含む、請求項２５に記載の装置。
【請求項２７】
前記負荷情報メッセージが、前記ＡＢＳを示す情報要素（ＩＥ）を含む、請求項２６に記載の装置。
【請求項２８】
前記装置がピコ基地局またはフェムト基地局であり、前記基地局がマクロ基地局である、請求項１５に記載の装置。
【請求項２９】
ワイヤレス通信のための装置であって、
基地局にリソースステータスメッセージを送るように構成された送信機と、
前記基地局から、前記装置と前記基地局との間の提案されたリソースパーティショニングを示すメッセージを受信するように構成された受信機であって、前記提案されたリソースパーティショニングが前記リソースステータスメッセージに基づく、受信機と、
前記受信したリソースパーティショニングに基づいてリソースをスケジュールするように構成されたスケジューラと
を備える、ワイヤレス通信のための装置。
【請求項３０】
前記送信機は、前記基地局に、前記提案されたリソースパーティショニングが前記装置によって承認されたという通知を送るように構成される、請求項２９に記載の装置。
【請求項３１】
少なくとも１つのプロセッサをさらに備え、前記受信機が、前記メッセージを受信する前に前記基地局から、前記装置と前記基地局との間の他の提案されたリソースパーティショニングを示す別のメッセージを受信するように構成され、前記少なくとも１つのプロセッサが、前記他の提案されたリソースパーティショニングを拒否するように構成され、前記送信機が、前記基地局に、前記拒否された他の提案されたリソースパーティショニングの通知を送るように構成される、請求項２９に記載の装置。
【請求項３２】
前記提案されたリソースパーティショニングを示す前記メッセージがＸ２バックホールを通じて受信される、請求項２９に記載の装置。
【請求項３３】
前記提案されたリソースパーティショニングを示す前記メッセージが無線メッセージ（ＯＡＭ）を通じて受信される、請求項２９に記載の装置。
【請求項３４】
前記装置と前記基地局とを最初に関連付けるためにＸ２セットアッププロシージャを使用するように構成された少なくとも１つのプロセッサをさらに備える、請求項２９に記載の装置。
【請求項３５】
前記少なくとも１つのプロセッサが、前記基地局に前記装置のクラスまたはアクセスモードのうちの少なくとも１つを送ることによって前記Ｘ２セットアッププロシージャを使用するように構成される、請求項３４に記載の装置。
【請求項３６】
前記装置に関連したリソースステータスに関係する１つまたは複数のパラメータを決定するように構成された少なくとも１つのプロセッサをさらに備え、前記リソースステータスメッセージが前記パラメータを示す、請求項２９に記載の装置。
【請求項３７】
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、請求項３６に記載の装置。
【請求項３８】
前記スケジューラが、
前記基地局によってカバーされる第１のエリア中の第１のユーザ機器（ＵＥ）について前記受信したリソースパーティショニングに基づいて前記リソースをスケジュールし、
前記装置によってのみカバーされる第２のエリア中の第２のＵＥについて前記装置によって決定される独立したリソースパーティショニングに基づいて前記リソースをスケジュールする
ように構成される、請求項２９に記載の装置。
【請求項３９】
前記受信した提案されたリソースパーティショニングが、前記基地局の１つまたは複数のオールモストブランクサブフレーム（ＡＢＳ）を含む、請求項２９に記載の装置。
【請求項４０】
前記提案されたリソースパーティショニングを示す前記メッセージが、前記ＡＢＳを示す負荷情報メッセージを含む、請求項３９に記載の装置。
【請求項４１】
前記負荷情報メッセージが、前記ＡＢＳを示す情報要素（ＩＥ）を含む、請求項４０に記載の装置。
【請求項４２】
前記装置がピコ基地局またはフェムト基地局であり、前記基地局がマクロ基地局である、請求項２９に記載の装置。
【請求項４３】
ワイヤレス通信のためのコンピュータプログラム製品であって、
第１の基地局から、第２の基地局にリソースステータスメッセージを送ることと、
前記第１の基地局において、前記第２の基地局から、前記第１の基地局と前記第２の基地局との間の提案されたリソースパーティショニングを示すメッセージを受信することであって、前記提案されたリソースパーティショニングが前記リソースステータスメッセージに基づく、受信することと、
前記受信したリソースパーティショニングに基づいて前記第１の基地局においてリソースをスケジュールすることと
のためのコードを有するコンピュータ可読媒体
を備える、コンピュータプログラム製品。
【請求項４４】
前記第１の基地局から前記第２の基地局に、前記提案されたリソースパーティショニングが前記第１の基地局によって承認されたという通知を送るためのコードをさらに備える、請求項４３に記載のコンピュータプログラム製品。
【請求項４５】
前記メッセージを受信する前に前記第２の基地局から、前記第１の基地局と前記第２の基地局との間の他の提案されたリソースパーティショニングを示す別のメッセージを受信することと、
前記他の提案されたリソースパーティショニングを拒否することと、
前記第１の基地局から前記第２の基地局に、前記拒否された他の提案されたリソースパーティショニングの通知を送ることと
のためのコードをさらに備える、請求項４３に記載のコンピュータプログラム製品。
【請求項４６】
前記提案されたリソースパーティショニングを示す前記メッセージがＸ２バックホールを通じて受信される、請求項４３に記載のコンピュータプログラム製品。
【請求項４７】
前記提案されたリソースパーティショニングを示す前記メッセージが無線メッセージ（ＯＡＭ）を通じて受信される、請求項４３に記載のコンピュータプログラム製品。
【請求項４８】
前記第１の基地局と前記第２の基地局とを最初に関連付けるためにＸ２セットアッププロシージャを使用するためのコードをさらに備える、請求項４３に記載のコンピュータプログラム製品。
【請求項４９】
前記使用することが、前記第２の基地局に前記第１の基地局のクラスまたはアクセスモードのうちの少なくとも１つを送ることを含む、請求項４８に記載のコンピュータプログラム製品。
【請求項５０】
前記第１の基地局に関連したリソースステータスに関係する１つまたは複数のパラメータを決定するためのコードをさらに備え、前記リソースステータスメッセージが前記パラメータを示す、請求項４３に記載のコンピュータプログラム製品。
【請求項５１】
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、請求項５０に記載のコンピュータプログラム製品。
【請求項５２】
前記スケジュールすることが、
前記第２の基地局によってカバーされる第１のエリア中の第１のユーザ機器（ＵＥ）について前記受信したリソースパーティショニングに基づいて前記リソースをスケジュールすることと、
前記第１の基地局によってのみカバーされる第２のエリア中の第２のＵＥについて前記第１の基地局によって決定される独立したリソースパーティショニングに基づいて前記リソースをスケジュールすることと
を含む、請求項４３に記載のコンピュータプログラム製品。
【請求項５３】
前記受信した提案されたリソースパーティショニングが、前記第２の基地局の１つまたは複数のオールモストブランクサブフレーム（ＡＢＳ）を含む、請求項４３に記載のコンピュータプログラム製品。
【請求項５４】
前記提案されたリソースパーティショニングを示す前記メッセージが、前記ＡＢＳを示す負荷情報メッセージを含む、請求項５３に記載のコンピュータプログラム製品。
【請求項５５】
前記負荷情報メッセージが、前記ＡＢＳを示す情報要素（ＩＥ）を含む、請求項５４に記載のコンピュータプログラム製品。
【請求項５６】
前記第１の基地局がピコ基地局またはフェムト基地局であり、前記第２の基地局がマクロ基地局である、請求項４３に記載のコンピュータプログラム製品。
【請求項５７】
ワイヤレス通信のための方法であって、
第１の基地局において、第２の基地局からリソースステータスメッセージを受信することと、
前記第１の基地局におけるリソース使用に関係する１つまたは複数のパラメータを決定することと、
前記受信したリソースステータスメッセージと前記パラメータとに基づいて前記第１の基地局と前記第２の基地局との間の提案されるリソースパーティショニングを決定することと、
前記第１の基地局から前記第２の基地局に、前記提案されたリソースパーティショニングのインジケーションを送ることと
を備える、ワイヤレス通信のための方法。
【請求項５８】
前記第１の基地局において、前記提案されたリソースパーティショニングが前記第２の基地局によって承認されたという通知を受信することをさらに備える、請求項５７に記載の方法。
【請求項５９】
前記第１の基地局において、前記提案されたリソースパーティショニングが前記第２の基地局によって拒否されたという通知を受信することと、
前記第１の基地局と前記第２の基地局との間の他の提案されるリソースパーティショニングを決定することと、
前記第１の基地局から前記第２の基地局に、前記他の提案されたリソースパーティショニングの別のインジケーションを送ることと
をさらに備える、請求項５７に記載の方法。
【請求項６０】
前記受信することの前に前記第１の基地局と前記第２の基地局との間の現在のリソースパーティショニングを決定することをさらに備え、前記提案されたリソースパーティショニングが前記現在のリソースパーティショニングとは異なる場合にのみ、前記提案されたリソースパーティショニングの前記インジケーションが送られる、請求項５７に記載の方法。
【請求項６１】
前記提案されたリソースパーティショニングの前記インジケーションがＸ２バックホールを通じて送られる、請求項５７に記載の方法。
【請求項６２】
前記提案されたリソースパーティショニングの前記インジケーションが無線メッセージ（ＯＡＭ）を通じて送られる、請求項５７に記載の方法。
【請求項６３】
前記第１の基地局と前記第２の基地局とを最初に関連付けるためにＸ２セットアッププロシージャを使用することをさらに備える、請求項５７に記載の方法。
【請求項６４】
前記使用することが、前記第１の基地局において、前記第２の基地局のクラスまたはアクセスモードのうちの少なくとも１つを受信することを含む、請求項６３に記載の方法。
【請求項６５】
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、請求項５７に記載の方法。
【請求項６６】
前記第１の基地局によってのみカバーされるエリア中のユーザ機器（ＵＥ）について前記第１の基地局によって決定される独立したリソースパーティショニングに基づいてリソースをスケジュールすることをさらに備える、請求項５７に記載の方法。
【請求項６７】
前記提案されたリソースパーティショニングが、前記第１の基地局の１つまたは複数のオールモストブランクサブフレーム（ＡＢＳ）を含む、請求項５７に記載の方法。
【請求項６８】
前記提案されたリソースパーティショニングの前記インジケーションが、前記ＡＢＳを示す負荷情報メッセージを含む、請求項６７に記載の方法。
【請求項６９】
前記負荷情報メッセージが、前記ＡＢＳを示す情報要素（ＩＥ）を含む、請求項６８に記載の方法。
【請求項７０】
前記第１の基地局がマクロ基地局であり、前記第２の基地局がピコ基地局またはフェムト基地局である、請求項５７に記載の方法。
【請求項７１】
ワイヤレス通信のための装置であって、
基地局からリソースステータスメッセージを受信するための手段と、
前記装置におけるリソース使用に関係する１つまたは複数のパラメータを決定するための手段と、
前記受信したリソースステータスメッセージと前記パラメータとに基づいて前記装置と前記基地局との間の提案されるリソースパーティショニングを決定するための手段と、
前記基地局に前記提案されたリソースパーティショニングのインジケーションを送るための手段と
を備える、ワイヤレス通信のための装置。
【請求項７２】
受信するための前記手段は、前記提案されたリソースパーティショニングが前記基地局によって承認されたという通知を受信するように構成される、請求項７１に記載の装置。
【請求項７３】
受信するための前記手段は、前記提案されたリソースパーティショニングが前記基地局によって拒否されたという通知を受信するように構成され、前記提案されたリソースパーティショニングを決定するための前記手段が、前記装置と前記基地局との間の他の提案されたリソースパーティショニングを決定するように構成され、送るための前記手段が、前記基地局に、前記他の提案されたリソースパーティショニングの別のインジケーションを送るように構成される、請求項７１に記載の装置。
【請求項７４】
前記リソースステータスメッセージを受信する前に前記装置と前記基地局との間の現在のリソースパーティショニングを決定するための手段をさらに備え、前記提案されたリソースパーティショニングが前記現在のリソースパーティショニングとは異なる場合にのみ、前記提案されたリソースパーティショニングの前記インジケーションが送られる、請求項７１に記載の装置。
【請求項７５】
前記提案されたリソースパーティショニングの前記インジケーションがＸ２バックホールを通じて送られる、請求項７１に記載の装置。
【請求項７６】
前記提案されたリソースパーティショニングの前記インジケーションが無線メッセージ（ＯＡＭ）を通じて送られる、請求項７１に記載の装置。
【請求項７７】
前記装置と前記基地局とを最初に関連付けるためにＸ２セットアッププロシージャを使用するための手段をさらに備える、請求項７１に記載の装置。
【請求項７８】
使用するための前記手段が、前記基地局のクラスまたはアクセスモードのうちの少なくとも１つを受信するように構成される、請求項７７に記載の装置。
【請求項７９】
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、請求項７１に記載の装置。
【請求項８０】
前記装置によってのみカバーされるエリア中のユーザ機器（ＵＥ）について前記装置によって決定される独立したリソースパーティショニングに基づいてリソースをスケジュールするための手段をさらに備える、請求項７１に記載の装置。
【請求項８１】
前記提案されたリソースパーティショニングが、前記装置の１つまたは複数のオールモストブランクサブフレーム（ＡＢＳ）を含む、請求項７１に記載の装置。
【請求項８２】
前記提案されたリソースパーティショニングの前記インジケーションが、前記ＡＢＳを示す負荷情報メッセージを含む、請求項８１に記載の装置。
【請求項８３】
前記負荷情報メッセージが、前記ＡＢＳを示す情報要素（ＩＥ）を含む、請求項８２に記載の装置。
【請求項８４】
前記装置がマクロ基地局であり、前記基地局がピコ基地局またはフェムト基地局である、請求項７１に記載の装置。
【請求項８５】
ワイヤレス通信のための装置であって、
基地局からリソースステータスメッセージを受信するように構成された受信機と、
前記装置におけるリソース使用に関係する１つまたは複数のパラメータを決定し、
前記受信したリソースステータスメッセージと前記パラメータとに基づいて前記装置と前記基地局との間の提案されるリソースパーティショニングを決定する
ように構成された少なくとも１つのプロセッサと、
前記基地局に前記提案されたリソースパーティショニングのインジケーションを送るように構成された送信機と
を備える、ワイヤレス通信のための装置。
【請求項８６】
前記受信機は、前記提案されたリソースパーティショニングが前記基地局によって承認されたという通知を受信するように構成される、請求項８５に記載の装置。
【請求項８７】
前記受信機は、前記提案されたリソースパーティショニングが前記基地局によって拒否されたという通知を受信するように構成され、前記少なくとも１つのプロセッサが、前記装置と前記基地局との間の他の提案されるリソースパーティショニングを決定するように構成され、前記送信機が、前記基地局に、前記他の提案されたリソースパーティショニングの別のインジケーションを送るように構成される、請求項８５に記載の装置。
【請求項８８】
前記少なくとも１つのプロセッサが、前記リソースステータスメッセージを受信する前に前記装置と前記基地局との間の現在のリソースパーティショニングを決定するように構成され、前記提案されたリソースパーティショニングが前記現在のリソースパーティショニングとは異なる場合にのみ、前記提案されたリソースパーティショニングの前記インジケーションが送られる、請求項８５に記載の装置。
【請求項８９】
前記提案されたリソースパーティショニングの前記インジケーションがＸ２バックホールを通じて送られる、請求項８５に記載の装置。
【請求項９０】
前記提案されたリソースパーティショニングの前記インジケーションが無線メッセージ（ＯＡＭ）を通じて送られる、請求項８５に記載の装置。
【請求項９１】
前記少なくとも１つのプロセッサが、前記装置と前記基地局とを最初に関連付けるためにＸ２セットアッププロシージャを使用するように構成される、請求項８５に記載の装置。
【請求項９２】
前記少なくとも１つのプロセッサが、前記基地局のクラスまたはアクセスモードのうちの少なくとも１つを受信することによって前記Ｘ２セットアッププロシージャを使用するように構成される、請求項９１に記載の装置。
【請求項９３】
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、請求項８５に記載の装置。
【請求項９４】
前記装置によってのみカバーされるエリア中のユーザ機器（ＵＥ）について前記装置によって決定される独立したリソースパーティショニングに基づいてリソースをスケジュールするように構成されたスケジューラをさらに備える、請求項８５に記載の装置。
【請求項９５】
前記提案されたリソースパーティショニングが、前記装置の１つまたは複数のオールモストブランクサブフレーム（ＡＢＳ）を含む、請求項８５に記載の装置。
【請求項９６】
前記提案されたリソースパーティショニングの前記インジケーションが、前記ＡＢＳを示す負荷情報メッセージを含む、請求項９５に記載の装置。
【請求項９７】
前記負荷情報メッセージが、前記ＡＢＳを示す情報要素（ＩＥ）を含む、請求項９６に記載の装置。
【請求項９８】
前記装置がマクロ基地局であり、前記基地局がピコ基地局またはフェムト基地局である、請求項８５に記載の装置。
【請求項９９】
ワイヤレス通信のためのコンピュータプログラム製品であって、
第１の基地局において、第２の基地局からリソースステータスメッセージを受信することと、
前記第１の基地局におけるリソース使用に関係する１つまたは複数のパラメータを決定することと、
前記受信したリソースステータスメッセージと前記パラメータとに基づいて前記第１の基地局と前記第２の基地局との間の提案されるリソースパーティショニングを決定することと、
前記第１の基地局から前記第２の基地局に、前記提案されたリソースパーティショニングのインジケーションを送ることと
のためのコードを有するコンピュータ可読媒体
を備える、コンピュータプログラム製品。
【請求項１００】
前記第１の基地局において、前記提案されたリソースパーティショニングが前記第２の基地局によって承認されたという通知を受信するためのコードをさらに備える、請求項９９に記載のコンピュータプログラム製品。
【請求項１０１】
前記第１の基地局において、前記提案されたリソースパーティショニングが前記第２の基地局によって拒否されたという通知を受信することと、
前記第１の基地局と前記第２の基地局との間の他の提案されるリソースパーティショニングを決定することと、
前記第１の基地局から前記第２の基地局に、前記他の提案されたリソースパーティショニングの別のインジケーションを送ることと
のためのコードをさらに備える、請求項９９に記載のコンピュータプログラム製品。
【請求項１０２】
前記受信することの前に前記第１の基地局と前記第２の基地局との間の現在のリソースパーティショニングを決定するためのコードをさらに備え、前記提案されたリソースパーティショニングが前記現在のリソースパーティショニングとは異なる場合にのみ、前記提案されたリソースパーティショニングの前記インジケーションが送られる、請求項９９に記載のコンピュータプログラム製品。
【請求項１０３】
前記提案されたリソースパーティショニングの前記インジケーションがＸ２バックホールを通じて送られる、請求項９９に記載のコンピュータプログラム製品。
【請求項１０４】
前記提案されたリソースパーティショニングの前記インジケーションが無線メッセージ（ＯＡＭ）を通じて送られる、請求項９９に記載のコンピュータプログラム製品。
【請求項１０５】
前記第１の基地局と前記第２の基地局とを最初に関連付けるためにＸ２セットアッププロシージャを使用するためのコードをさらに備える、請求項９９に記載のコンピュータプログラム製品。
【請求項１０６】
前記使用することが、前記第１の基地局において、前記第２の基地局のクラスまたはアクセスモードのうちの少なくとも１つを受信することを含む、請求項１０５に記載のコンピュータプログラム製品。
【請求項１０７】
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、請求項９９に記載のコンピュータプログラム製品。
【請求項１０８】
前記第１の基地局によってのみカバーされるエリア中のユーザ機器（ＵＥ）について前記第１の基地局によって決定される独立したリソースパーティショニングに基づいてリソースをスケジュールするためのコードをさらに備える、請求項９９に記載のコンピュータプログラム製品。
【請求項１０９】
前記提案されたリソースパーティショニングが、前記第１の基地局の１つまたは複数のオールモストブランクサブフレーム（ＡＢＳ）を含む、請求項９９に記載のコンピュータプログラム製品。
【請求項１１０】
前記提案されたリソースパーティショニングの前記インジケーションが、前記ＡＢＳを示す負荷情報メッセージを含む、請求項１０９に記載のコンピュータプログラム製品。
【請求項１１１】
前記負荷情報メッセージが、前記ＡＢＳを示す情報要素（ＩＥ）を含む、請求項１１０に記載のコンピュータプログラム製品。
【請求項１１２】
前記第１の基地局がマクロ基地局であり、前記第２の基地局がピコ基地局またはフェムト基地局である、請求項９９に記載のコンピュータプログラム製品。
【発明の詳細な説明】
【技術分野】
【０００１】
関連出願の相互参照
本出願は、参照により本明細書に組み込まれる、２０１０年４月１３日に出願された「拡張干渉制御のための基地局間の適応リソースネゴシエーション（Adaptive Resource Negotiation between Base Stations for Enhanced Interference Coordination）」と題する米国仮特許出願第６１／３２３，８１１号の利益を主張する。
【０００２】
本開示のいくつかの態様は、一般にワイヤレス通信に関し、より詳細には、拡張セル間干渉制御（ｅＩＣＩＣ：enhanced inter-cell interference coordination）のための基地局間の適応リソースネゴシエーションに関する。
【背景技術】
【０００３】
ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークが含まれる。
【０００４】
ワイヤレス通信ネットワークは、いくつかのユーザ機器（ＵＥ）の通信をサポートすることができるいくつかの基地局を含み得る。ＵＥは、ダウンリンクおよびアップリンクを通じて基地局と通信することができる。ダウンリンク（または順方向リンク）は、基地局からＵＥへの通信リンクを指し、アップリンク（または逆方向リンク）は、ＵＥから基地局への通信リンクを指す。
【０００５】
基地局は、ＵＥにダウンリンク上でデータおよび制御情報を送信することができ、および／またはＵＥからアップリンク上でデータおよび制御情報を受信することができる。ダウンリンク上では、基地局からの送信は、ネイバー基地局からの送信に起因する干渉を観測し得る。アップリンク上では、ＵＥからの送信は、ネイバー基地局と通信する他のＵＥからの送信に干渉を引き起こし得る。干渉は、ダウンリンクとアップリンクの両方でパフォーマンスを劣化させ得る。
【発明の概要】
【０００６】
本開示のいくつかの態様は、ワイヤレス通信のための方法を提供する。この方法は、概して、第１の基地局から、第２の基地局にリソースステータスメッセージを送ることと、第１の基地局において、第２の基地局から、第１の基地局と第２の基地局との間の提案されたリソースパーティショニングを示すメッセージを受信することであって、提案されたリソースパーティショニングがリソースステータスメッセージに基づく、受信することと、受信したリソースパーティショニングに基づいて第１の基地局においてリソースをスケジュールすることとを含む。
【０００７】
本開示のいくつかの態様は、ワイヤレス通信のための装置を提供する。この装置は、概して、基地局にリソースステータスメッセージを送るための手段と、基地局から、装置と基地局との間の提案されたリソースパーティショニングを示すメッセージを受信するための手段であって、提案されたリソースパーティショニングがリソースステータスメッセージに基づく、受信するための手段と、受信したリソースパーティショニングに基づいてリソースをスケジュールするための手段とを含む。
【０００８】
本開示のいくつかの態様は、ワイヤレス通信のための装置を提供する。この装置は、概して、プロセッサ送信機、受信機、およびスケジューラを含む。送信機は、一般に、基地局にリソースステータスメッセージを送るように構成され、受信機は、基地局から、装置と基地局との間の提案されたリソースパーティショニングを示すメッセージを受信するように構成され、ここで、提案されたリソースパーティショニングは、リソースステータスメッセージに基づく。スケジューラは、概して、受信したリソースパーティショニングに基づいてリソースをスケジュールするように構成される。
【０００９】
本開示のいくつかの態様は、ワイヤレス通信のためのコンピュータプログラム製品を提供する。このコンピュータプログラム製品は、一般に、第１の基地局から、第２の基地局にリソースステータスメッセージを送ることと、第１の基地局において、第２の基地局から、第１の基地局と第２の基地局との間の提案されたリソースパーティショニングを示すメッセージを受信することであって、提案されたリソースパーティショニングがリソースステータスメッセージに基づく、受信することと、受信したリソースパーティショニングに基づいて第１の基地局においてリソースをスケジュールすることと、のためのコードを有する、コンピュータ可読媒体を含む。
【００１０】
本開示のいくつかの態様は、ワイヤレス通信のための方法を提供する。この方法は、概して、第１の基地局において、第２の基地局からリソースステータスメッセージを受信することと、第１の基地局におけるリソース使用に関係する１つまたは複数のパラメータを決定することと、受信したリソースステータスメッセージとパラメータとに基づいて第１の基地局と第２の基地局との間の提案されるリソースパーティショニングを決定することと、第１の基地局から第２の基地局に、提案されたリソースパーティショニングのインジケーションを送ることとを含む。
【００１１】
本開示のいくつかの態様は、ワイヤレス通信のための装置を提供する。この装置は、概して、基地局からリソースステータスメッセージを受信するための手段と、装置におけるリソース使用に関係する１つまたは複数のパラメータを決定するための手段と、受信したリソースステータスメッセージとパラメータとに基づいて装置と基地局との間の提案されるリソースパーティショニングを決定するための手段と、基地局に、提案されたリソースパーティショニングのインジケーションを送るための手段とを含む。
【００１２】
本開示のいくつかの態様は、ワイヤレス通信のための装置を提供する。この装置は、概して、受信機と、少なくとも１つのプロセッサと、送信機とを含む。受信機は、一般に、基地局からリソースステータスメッセージを受信するように構成される。少なくとも１つのプロセッサは、概して、装置におけるリソース使用に関係する１つまたは複数のパラメータを決定し、受信したリソースステータスメッセージとパラメータとに基づいて装置と基地局との間の提案されるリソースパーティショニングを決定するように構成される。送信機は、一般に、第２の基地局に、提案されたリソースパーティショニングのインジケーションを送るように構成される。
【００１３】
本開示のいくつかの態様は、ワイヤレス通信のためのコンピュータプログラム製品を提供する。このコンピュータプログラム製品は、一般に、第１の基地局において、第２の基地局からリソースステータスメッセージを受信することと、第１の基地局におけるリソース使用に関係する１つまたは複数のパラメータを決定することと、受信したリソースステータスメッセージとパラメータとに基づいて第１の基地局と第２の基地局との間の提案されるリソースパーティショニングを決定することと、第１の基地局から第２の基地局に、提案されたリソースパーティショニングのインジケーションを送ることと、のためのコードを有する、コンピュータ可読媒体を含む。
【００１４】
本開示の様々な態様および特徴について以下でさらに詳細に説明する。
【図面の簡単な説明】
【００１５】
【図１】図１は、本開示のいくつかの態様によるワイヤレス通信ネットワークの一例を概念的に示すブロック図である。
【図２】図２は、本開示のいくつかの態様によるワイヤレス通信ネットワークにおけるフレーム構造の一例を概念的に示すブロック図である。
【図２Ａ】図２Ａは、本開示のいくつかの態様による、リソースのアップリンク割当ての一例を概念的に示すブロック図である。
【図３】図３は、本開示のいくつかの態様による、ワイヤレス通信ネットワークにおいてユーザ機器（ＵＥ）と通信しているノードＢの一例を概念的に示すブロック図である。
【図４】図４は、本開示のいくつかの態様による、例示的な異種ネットワークを示す図である。
【図５】図５は、本開示のいくつかの態様による、異種ネットワークにおける例示的なリソースパーティショニングを示す図である。
【図６】図６は、本開示のいくつかの態様による、異種ネットワークにおけるサブフレームの例示的な協調的パーティショニングを示す図である。
【図７】図７は、本開示のいくつかの態様による、第２の基地局からの提案されたリソースパーティショニングに基づいて第１の基地局においてリソースをスケジュールするための例示的なコールフロー図である。
【図８】図８は、本開示のいくつかの態様による、ネゴシエートしている２つのセル間の例示的な拡張境界エリア（ＥＢＡ）を示す図である。
【図９】図９は、本開示のいくつかの態様による、第１の基地局と第２の基地局との間の受信した提案されたリソースパーティショニングに基づいて第１の基地局においてリソースをスケジュールするために実行される例示的なブロックを概念的に示す機能ブロック図である。
【図１０】図１０は、本開示のいくつかの態様による、第１の基地局と第２の基地局との間のリソースパーティショニングを決定および提案するために実行される例示的なブロックを概念的に示す機能ブロック図である。
【詳細な説明】
【００１６】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用されることができる。「ネットワーク」および「システム」という用語は、しばしば交換可能に使用される。ＣＤＭＡネットワークは、ユニバーサル地上無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標）：Wideband CDMA）およびＣＤＭＡの他の変形態を含む。ｃｄｍａ２０００は、ＩＳ−２０００、ＩＳ−９５およびＩＳ−８５６規格をカバーする。ＴＤＭＡネットワークは、移動体通信用グローバルシステム（ＧＳＭ（登録商標）：Global System for Mobile Communications）などの無線技術を実装し得る。ＯＦＤＭＡネットワークは、進化型ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（Flash-OFDM）（登録商標）などの無線技術を実装し得る。ＵＴＲＡおよびＥ−ＵＴＲＡは、ユニバーサルモバイルテレコミュニケーションシステム（（ＵＭＴＳ：Universal Mobile Telecommunication System）の一部である。３ＧＰＰロングタームエボリューション（ＬＴＥ：Long Term Evolution）およびＬＴＥ−アドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト（3rd Generation Partnership Project）」（３ＧＰＰ）という名称の団体からの文書に記載されている。ｃｄｍａ２０００およびＵＭＢは、「第３世代パートナーシッププロジェクト２（3rd Generation Partnership Project 2）」（３ＧＰＰ２）という名称の団体からの文書に記載されている。本明細書で説明する技法は
、上記のワイヤレスネットワークおよび無線技術にも、他のワイヤレスネットワークおよび無線技術にも、使用されることができる。明瞭のために、技法のいくつかの態様について以下ではＬＴＥに関して説明し、以下の説明の大部分でＬＴＥ用語を使用する。
【００１７】
例示的なワイヤレスネットワーク
図１は、ワイヤレス通信ネットワーク１００を示しており、これはＬＴＥネットワークであり得る。ワイヤレスネットワーク１００は、いくつかの発展型ノードＢ（ｅＮＢ）１１０と他のネットワークエンティティとを含むことができる。ｅＮＢは、ユーザ機器デバイス（ＵＥ）と通信する局であることができ、基地局、ノードＢ、アクセスポイントなどとも呼ばれ得る。各ｅＮＢ１１０は、特定の地理的エリアに通信カバレージを提供することができる。３ＧＰＰでは、「セル」という用語は、この用語が使用される状況に応じて、ｅＮＢのカバレージエリアおよび／またはこのカバレージエリアにサービスしているｅＮＢサブシステムを指し得る。
【００１８】
ｅＮＢは、マクロセル、ピコセル、フェムトセル、および／または他のタイプのセルに通信カバレージを提供することができる。マクロセルは、比較的大きい地理的エリア（たとえば、半径数キロメートル）をカバーすることができ、サービスに加入しているＵＥによる無制限アクセスを可能にすることができる。ピコセルは、比較的小さい地理的エリアをカバーすることができ、サービスに加入しているＵＥによる無制限アクセスを可能にすることができる。フェムトセルは、比較的小さい地理的エリア（たとえば、住宅）をカバーすることができ、フェムトセルとの関連を有するＵＥ（たとえば、限定加入者グループ（ＣＳＧ：Closed Subscriber Group）中のＵＥ、住宅内のユーザのためのＵＥなど）による限定アクセスを可能にすることができる。マクロセルのためのｅＮＢは、マクロｅＮＢと呼ばれることがある。ピコセルのためのｅＮＢは、ピコｅＮＢと呼ばれることがある。フェムトセルのためのｅＮＢは、フェムトｅＮＢまたはホームｅＮＢと呼ばれることがある。図１に示す例では、ｅＮＢ１１０ａ、１１０ｂ、および１１０ｃは、それぞれ、マクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれ、フェムトセル１０２ｙおよび１０２ｚのためのフェムトｅＮＢであり得る。ｅＮＢは、１つまたは複数の（たとえば、３つの）セルをサポートすることができる。
【００１９】
ワイヤレスネットワーク１００は、また、中継局を含むことができる。中継局は、上流局（たとえば、ｅＮＢまたはＵＥ）からデータおよび／または他の情報の伝送を受信し、そのデータおよび／または他の情報の伝送を下流局（たとえば、ＵＥまたはｅＮＢ）に送信する局である。中継局は、また、他のＵＥに関する伝送を中継するＵＥであり得る。図１に示す例では、中継局１１０ｒは、ｅＮＢ１１０ａとＵＥ１２０ｒとの間の通信を容易にするために、ｅＮＢ１１０ａおよびＵＥ１２０ｒと通信することができる。中継局は、また、リレーｅＮＢ、リレーなどとも呼ばれ得る。
【００２０】
ワイヤレスネットワーク１００は、様々なタイプのｅＮＢ、たとえば、マクロｅＮＢ、ピコｅＮＢ、フェムトｅＮＢ、リレーなどを含む、異種ネットワーク（ＨｅｔＮｅｔ：heterogeneous network）であることができる。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２１】
ワイヤレスネットワーク１００は、同期動作または非同期動作をサポートすることができる。同期動作の場合、ｅＮＢは、同様のフレームタイミングを有することができ、様々なｅＮＢからの伝送は、時間的にほぼ整列され得る。非同期動作の場合、ｅＮＢは、異なるフレームタイミングを有することができ、様々なｅＮＢからの伝送は、時間的に整列されないことがある。本明細書で説明する技法は、同期動作および非同期動作の両方に使用されることができる。
【００２２】
ネットワークコントローラ１３０は、ｅＮＢのセットに結合し、これらのｅＮＢに協調および制御を提供することができる。ネットワークコントローラ１３０は、バックホールを通じてｅＮＢ１１０と通信することができる。ｅＮＢ１１０は、また、たとえば、ワイヤレスバックホールまたはワイヤラインバックホールを通じて間接的に、または直接的に、互いに通信することができる。
【００２３】
ＵＥ１２０は、ワイヤレスネットワーク１００全体にわたって分散されることができ、各ＵＥは、固定式または可動式であることができる。ＵＥは、また、端末、移動局、加入者ユニット、局などとも呼ばれ得る。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレットなどであり得る。ＵＥは、マクロｅＮＢ、ピコｅＮＢ、フェムトｅＮＢ、リレーなどと通信可能であり得る。図１において、両矢印付きの実線は、ＵＥと、ダウンリンクおよび／またはアップリンク上でそのＵＥにサービスするように指定されたｅＮＢであるサービングｅＮＢとの間の所望の伝送を示す。両矢印付きの破線は、ＵＥとｅＮＢとの間の干渉伝送を示す。
【００２４】
ＬＴＥは、ダウンリンク上では直交周波数分割多重（ＯＦＤＭ：orthogonal frequency division multiplexing）を利用し、アップリンク上ではシングルキャリア周波数分割多重（ＳＣ−ＦＤＭ：single-carrier frequency division multiplexing）を利用する。ＯＦＤＭおよびＳＣ−ＦＤＭは、システム帯域幅を、一般にトーン、ビンなどとも呼ばれる複数（Ｋ個）の直交サブキャリアへとパーティショニングする。各サブキャリアは、データで変調されることができる。一般に、変調シンボルは、ＯＦＤＭでは周波数領域で、ＳＣ−ＦＤＭでは時間領域で送られる。隣接するサブキャリア間の間隔は、固定されることができ、サブキャリアの総数（Ｋ）は、システム帯域幅によって決まり得る。たとえば、Ｋは、１．２５、２．５、５、１０、または２０メガヘルツ（ＭＨｚ）のシステム帯域幅について、それぞれ１２８、２５６、５１２、１０２４、または２０４８に等しくなり得る。システム帯域幅は、また、サブバンドへとパーティショニングされることができる。たとえば、サブバンドは、１．０８ＭＨｚをカバーすることができ、１．２５、２．５、５、１０、または２０ＭＨｚのシステム帯域幅について、それぞれ１、２、４、８、または１６個のサブバンドが存在し得る。
【００２５】
図２は、ＬＴＥにおいて使用されるフレーム構造を示す。ダウンリンクについての伝送タイムラインは、無線フレームのユニットへとパーティショニングされ得る。各無線フレームは、所定の持続時間（たとえば、１０ミリ秒（ｍｓ））を有することができ、０〜９のインデックスをもつ１０個のサブフレームへとパーティショニングされ得る。各サブフレームは、２つのスロットを含み得る。したがって、各無線フレームは、０〜１９のインデックスをもつ２０個のスロットを含み得る。各スロットは、Ｌのシンボル期間、たとえば、（図２に示すように）通常のサイクリックプレフィックスの場合はＬ＝７のシンボル期間、または拡張されたサイクリックプレフィックスの場合はＬ＝６のシンボル期間を含み得る。各サブフレーム中の２Ｌのシンボル期間は、０〜２Ｌ−１のインデックスを割り当てられ得る。利用可能な時間周波数リソースは、リソースブロックへとパーティショニングされ得る。各リソースブロックは、１つのスロットにおいてＮ個のサブキャリア（たとえば、１２個のサブキャリア）をカバーすることができる。
【００２６】
ＬＴＥでは、ｅＮＢは、該ｅＮＢ中の各セルについて１次同期信号（ＰＳＳ：primary synchronization signal）および２次同期信号（ＳＳＳ：secondary synchronization signal）を送ることができる。１次同期信号および２次同期信号は、図２に示すように、それぞれ、通常のサイクリックプレフィックスとともに各無線フレームのサブフレーム０および５の各々において、シンボル期間６および５で送られることができる。同期信号は、セルの検出および捕捉のためにＵＥによって使用されることができる。ｅＮＢは、サブフレーム０のスロット１内のシンボル期間０〜３において物理ブロードキャストチャネル（ＰＢＣＨ：Physical Broadcast Channel）を送ることができる。ＰＢＣＨは、ある特定のシステム情報を搬送することができる。
【００２７】
ｅＮＢは、図２に示すように、各サブフレームの第１のシンボル期間において物理制御フォーマットインジケータチャネル（ＰＣＦＩＣＨ：Physical Control Format Indicator Channel）を送ることができる。ＰＣＦＩＣＨは、制御チャネルのために使用されるいくつか（Ｍ個）のシンボル期間を運ぶことができ、ここで、Ｍは、１、２、または３に等しいものであることができ、サブフレームごとに変化し得る。Ｍは、また、たとえばリソースブロックが１０個未満である小さいシステム帯域幅の場合、４に等しくなり得る。ｅＮＢは、各サブフレームの最初のＭ個のシンボル期間において物理ＨＡＲＱインジケータチャネル（ＰＨＩＣＨ：Physical HARQ Indicator Channel）および物理ダウンリンク制御チャネル（ＰＤＣＣＨ：Physical Downlink Control Channel）を送ることができる（図２には図示せず）。ＰＨＩＣＨは、ハイブリッド自動再送要求（ＨＡＲＱ：hybrid automatic repeat request）をサポートするための情報を搬送することができる。ＰＤＣＣＨは、ＵＥについてのリソース割当てに関する情報、およびダウンリンクチャネルについての制御情報を搬送することができる。ｅＮＢは、各サブフレームの残りのシンボル期間において物理ダウンリンク共有チャネル（ＰＤＳＣＨ：Physical Downlink Shared Channel）を送ることができる。ＰＤＳＣＨは、ダウンリンク上のデータ伝送についてスケジュールされたＵＥのためのデータを搬送することができる。ＬＴＥにおける様々な信号およびチャネルは、公開されている「進化型ユニバーサル地上無線アクセス（Ｅ−ＵＴＲＡ）；物理チャネルおよび変調（Evolved Universal Terrestrial Radio Access (E-UTRA); Physical Channels and Modulation）」と題する３ＧＰＰ  ＴＳ  ３６．２１１に記載されている。
【００２８】
ｅＮＢは、ｅＮＢによって使用されるシステム帯域幅の中心１．０８ＭＨｚにおいてＰＳＳ、ＳＳＳ、およびＰＢＣＨを送ることができる。ｅＮＢは、ＰＣＦＩＣＨおよびＰＨＩＣＨを、これらのチャネルが送られる各シンボル期間においてシステム帯域幅全体にわたって送ることができる。ｅＮＢは、システム帯域幅のある部分においてＵＥのグループにＰＤＣＣＨを送ることができる。ｅＮＢは、システム帯域幅の特定の部分において特定のＵＥにＰＤＳＣＨを送ることができる。ｅＮＢは、すべてのＵＥにブロードキャストでＰＳＳ、ＳＳＳ、ＰＢＣＨ、ＰＣＦＩＣＨ、およびＰＨＩＣＨを送ることができ、特定のＵＥにユニキャストでＰＤＣＣＨを送ることができ、また、特定のＵＥにユニキャストでＰＤＳＣＨを送ることができる。
【００２９】
いくつかのリソース要素が各シンボル期間において利用可能であり得る。各リソース要素は、１つのシンボル期間において１つのサブキャリアをカバーすることができ、実数値または複素数値であり得る１つの変調シンボルを送るために使用されることができる。各シンボル期間において基準信号のために使用されないリソース要素は、リソース要素グループ（ＲＥＧ：resource element group）へと配置されることができる。各ＲＥＧは、１つのシンボル期間中に４つのリソース要素を含み得る。ＰＣＦＩＣＨは、シンボル期間０において、周波数上でほぼ等しく離間され得る４つのＲＥＧを占有することができる。ＰＨＩＣＨは、１つまたは複数の設定可能なシンボル期間において、周波数にわたって広がって存在し得る３つのＲＥＧを占有することができる。たとえば、ＰＨＩＣＨについての３つのＲＥＧは、すべてシンボル期間０に属することができ、またはシンボル期間０、１、および２に広がって存在することができる。ＰＤＣＣＨは、最初のＭ個のシンボル期間において、利用可能なＲＥＧから選択され得る、９、１８、３２、または６４個のＲＥＧを占有し得る。ＲＥＧのある特定の組合せのみが、ＰＤＣＣＨについて許可され得る。
【００３０】
ＵＥは、ＰＨＩＣＨおよびＰＣＦＩＣＨのために使用される特定のＲＥＧを知り得る。ＵＥは、ＰＤＣＣＨのためのＲＥＧの様々な組合せをサーチすることができる。サーチすべき組合せの数は、一般に、ＰＤＣＣＨについて許可される組合せの数よりも少ない。ｅＮＢは、ＵＥがサーチすることになる組合せのいずれかにおいてＵＥにＰＤＣＣＨを送ることができる。
【００３１】
図２Ａは、ＬＴＥにおけるアップリンクのための例示的なフォーマット２００Ａを示す。アップリンクのための利用可能なリソースブロックは、データセクションと制御セクションとにパーティショニングされることができる。制御セクションは、システム帯域幅の２つのエッジのところに形成されることができ、設定可能なサイズを有し得る。制御セクション中のリソースブロックは、制御情報の伝送のためにＵＥに割り当てられることができる。データセクションは、制御セクション中に含まれないすべてのリソースブロックを含み得る。図２Ａの設計は、連続サブキャリアを含むデータセクションをもたらし、これは、単一のＵＥがデータセクション中の連続するサブキャリアのすべてを割り当てられることを可能にし得る。
【００３２】
ＵＥは、ｅＮＢに制御情報を送信するために制御セクション中のリソースブロックを割り当てられることができる。ＵＥは、また、ｅＮＢにデータを送信するためにデータセクション中のリソースブロックを割り当てられることができる。ＵＥは、制御セクションにおいて割り当てられたリソースブロック上の物理アップリンク制御チャネル（ＰＵＣＣＨ：Physical Uplink Control Channel）２１０中で制御情報を送信することができる。ＵＥは、データセクションにおいて割り当てられたリソースブロック上の物理アップリンク共有チャネル（ＰＵＳＣＨ：Physical Uplink Shared Channel）２２０中でデータのみまたはデータと制御情報の両方を送信することができる。アップリンク伝送は、サブフレームの両方のスロットにまたがることができ、図２Ａに示されるように周波数上をホップすることができる。
【００３３】
ＵＥは、複数のｅＮＢのカバレージ内に存在し得る。これらのｅＮＢのうちの１つが、そのＵＥにサービスするために選択されることができる。サービングｅＮＢは、受信電力、経路損失、信号対雑音比（ＳＮＲ）など、様々な基準に基づいて選択されることができる。
【００３４】
ＵＥは、ＵＥが１つまたは複数の干渉ｅＮＢからの高い干渉を観測し得る支配的干渉シナリオ（dominant interference scenario）において動作し得る。支配的干渉シナリオは、制限された関連付け（restricted association）に起因して発生し得る。たとえば、図１では、ＵＥ１２０ｙは、フェムトｅＮＢ１１０ｙの近くにあり、ｅＮＢ１１０ｙについて高い受信電力を有することがあり得る。しかしながら、ＵＥ１２０ｙは、制限された関連付けが原因でフェムトｅＮＢ１１０ｙにアクセスできないことがあり、そして、（図１に示されるように）受信電力がより低いマクロｅＮＢ１１０ｃまたはやはり受信電力がより低いフェムトｅＮＢ１１０ｚ（図１には図示せず）に接続することがある。その場合、ＵＥ１２０ｙは、ダウンリンク上でフェムトｅＮＢ１１０ｙからの高い干渉を観測する可能性があり、また、アップリンク上でｅＮＢ１１０ｙに高い干渉を引き起こす可能性がある。
【００３５】
支配的干渉シナリオは、また、範囲拡張に起因して発生することがあり、これは、ＵＥが、ＵＥによって検出されたすべてのｅＮＢのうち、経路損失がより低くＳＮＲがより低いｅＮＢに接続するシナリオである。たとえば、図１では、ＵＥ１２０ｘは、マクロｅＮＢ１１０ｂとピコｅＮＢ１１０ｘとを検出し、ｅＮＢ１１０ｂよりもｅＮＢ１１０ｘについてより低い受信電力を有することがある。それでも、ｅＮＢ１１０ｘに関する経路損失がマクロｅＮＢ１１０ｂに関する経路損失よりも低い場合、ＵＥ１２０ｘがピコｅＮＢ１１０ｘに接続することが望ましいことがある。これは、ＵＥ１２０ｘに関する所与のデータレートについて、ワイヤレスネットワークへの干渉を少なくし得る。
【００３６】
一態様では、支配的干渉シナリオにおける通信は、様々なｅＮＢを様々な周波数帯域上で動作させることによってサポートされ得る。周波数帯域は、通信のために使用されることのできる周波数の範囲であり、（ｉ）中心周波数と帯域幅、または（ｉｉ）下側の周波数と上側の周波数によって与えられることができる。周波数帯域は、また、帯域や周波数チャネルなどと呼ばれることもある。様々なｅＮＢについての周波数帯域は、強いｅＮＢがそのＵＥと通信することを可能にしながら、ＵＥが支配的干渉シナリオにおいてより弱いｅＮＢと通信できるように、選択されることができる。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類されることができる。
【００３７】
図３は、基地局もしくはｅＮＢ１１０およびＵＥ１２０の設計のブロック図であり、これらは、図１における基地局／ｅＮＢのうちの１つおよびＵＥのうちの１つであり得る。制限された関連付けのシナリオの場合、ｅＮＢ１１０は、図１のマクロｅＮＢ１１０ｃであることができ、ＵＥ１２０は、ＵＥ１２０ｙであることができる。ｅＮＢ１１０は、また、他の何らかのタイプの基地局であることができる。ｅＮＢ１１０は、Ｔ個のアンテナ３３４ａ〜３３４ｔを備えることができ、ＵＥ１２０は、Ｒ個のアンテナ３５２ａ〜３５２ｒを備えることができ、ここで、一般に、Ｔ≧１およびＲ≧１である。
【００３８】
ｅＮＢ１１０において、送信プロセッサ３２０は、データソース３１２からデータを受信し、コントローラ／プロセッサ３４０から制御情報を受信することができる。制御情報は、ＰＢＣＨ、ＰＣＦＩＣＨ、ＰＨＩＣＨ、ＰＤＣＣＨなどについてのものであり得る。データは、ＰＤＳＣＨについてのものなどであり得る。送信プロセッサ３２０は、データおよび制御情報を処理（たとえば、符号化およびシンボルマッピング）して、それぞれ、データシンボルおよび制御シンボルを得ることができる。送信プロセッサ３２０は、また、たとえば、ＰＳＳ、ＳＳＳ、およびセル固有の基準信号についての基準シンボルを生成することができる。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行することができ、Ｔ個の出力シンボルストリームをＴ個の変調器（ＭＯＤ）３３２ａ〜３３２ｔに供給することができる。各変調器３３２は、（たとえば、ＯＦＤＭなどの）それぞれの出力シンボルストリームを処理して、出力サンプルストリームを得ることができる。各変調器３３２は、さらに、出力サンプルストリームを処理（たとえば、アナログへの変換、増幅、フィルタ処理、およびアップコンバート）して、ダウンリンク信号を得ることができる。変調器３３２ａ〜３３２ｔからのＴ個のダウンリンク信号は、それぞれ、Ｔ個のアンテナ３３４ａ〜３３４ｔを通じて送信されることができる。
【００３９】
ＵＥ１２０において、アンテナ３５２ａ〜３５２ｒは、ｅＮＢ１１０からダウンリンク信号を受信し、受信信号をそれぞれ復調器（ＤＥＭＯＤ）３５４ａ〜３５４ｒに供給することができる。各復調器３５４は、それぞれの受信信号を調整（たとえば、フィルタ処理、増幅、ダウンコンバート、およびデジタル化）して、入力サンプルを得ることができる。各復調器３５４は、さらに、（たとえば、ＯＦＤＭなどの）入力サンプルを処理して、受信シンボルを得ることができる。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出されたシンボルを供給することができる。受信プロセッサ３５８は、検出されたシンボルを処理（たとえば、復調、デインターリーブ、および復号）し、ＵＥ１２０の復号されたデータをデータシンク３６０に供給し、復号された制御情報をコントローラ／プロセッサ３８０に供給することができる。
【００４０】
アップリンク上では、ＵＥ１２０において、送信プロセッサ３６４は、データソース３６２から（たとえば、ＰＵＳＣＨについて）データを、コントローラ／プロセッサ３８０から（たとえば、ＰＵＣＣＨについて）制御情報を、受信し、処理することができる。送信プロセッサ３６４は、また、基準信号のための基準シンボルを生成することができる。送信プロセッサ３６４からのシンボルは、適用可能な場合はＴＸ  ＭＩＭＯプロセッサ３６６によってプリコードされ、（たとえば、ＳＣ−ＦＤＭなどについて）変調器３５４ａ〜３５４ｒによってさらに処理され、ｅＮＢ１１０に送信されることができる。ｅＮＢ１１０において、ＵＥ１２０からのアップリンク信号は、アンテナ３３４によって受信され、復調器３３２によって処理され、適用可能な場合はＭＩＭＯ検出器３３６によって検出され、受信プロセッサ３３８によってさらに処理されて、ＵＥ１２０によって送られた復号されたデータおよび制御情報を得ることができる。受信プロセッサ３３８は、復号されたデータをデータシンク３３９に、復号された制御情報をコントローラ／プロセッサ３４０に供給することができる。
【００４１】
コントローラ／プロセッサ３４０および３８０は、それぞれｅＮＢ１１０およびＵＥ１２０における動作を指示することができる。ｅＮＢ１１０におけるコントローラ／プロセッサ３４０ならびに／または他のプロセッサおよびモジュールは、図９のブロック９００の動作、図１０のブロック１０００の動作、および／または本明細書で説明する技法のための他のプロセスを実行または指示することができる。メモリ３４２および３８２は、それぞれｅＮＢ１１０およびＵＥ１２０のためのデータおよびプログラムコードを記憶することができる。スケジューラ３４４は、ダウンリンクおよび／またはアップリンク上のデータ伝送についてＵＥをスケジュールすることができる。
【００４２】
例示的なリソースパーティショニング  
本開示のいくつかの態様によれば、ネットワークが拡張セル間干渉制御（ｅＩＣＩＣ：enhanced inter-cell interference coordination）をサポートするときには、基地局は、干渉セルがそれのリソースの一部を断念することによって干渉を低減する／なくすようにリソースを調整するために互いにネゴシエートすることができる。この干渉制御によれば、ＵＥは、干渉セルによってもたらされるリソースを使用することにより、厳しい干渉があったとしてもサービングセルにアクセスすることが可能となり得る。
【００４３】
たとえば、オープンマクロのカバレージエリア内の、限定アクセスモードのフェムトセル（すなわち、メンバーフェムトＵＥだけがこのセルにアクセスすることができる）は、マクロセルについて「カバレージホール」を生み出す可能性がある。フェムトセルがそれのリソースの一部をもたらすことについてネゴシエートし、干渉を効果的に除去することによって、フェムトセルカバレージエリアの下のマクロＵＥは、これらのもたらされるリソースを使用してＵＥのサービングマクロセルにアクセスすることが依然として可能となり得る。
【００４４】
進化型ユニバーサル地上無線アクセスネットワーク（Ｅ−ＵＴＲＡＮ：Evolved Universal Terrestrial Radio Access Network）など、ＯＦＤＭを使用する無線アクセスシステムでは、もたらされるリソースは、時間ベース、周波数ベース、または両方の組合せであり得る。調整されたリソースパーティショニングが時間ベースであるときには、干渉セルは、単純に、時間領域においてサブフレームの一部を使用しないことがある。もたらされるリソース（すなわち、調整されたリソースパーティショニング）が周波数ベースであるときには、干渉セルは、周波数領域においてサブキャリアをもたらし得る。調整されたリソースパーティショニングが周波数と時間の両方の組合せであるときには、干渉セルは、ある特定の周波数および時間リソースをもたらし得る。
【００４５】
図４は、マクロＵＥ１２０ｙがフェムトセル１１０ｙから厳しい干渉を受けているときでも、ｅＩＣＩＣが、切断されていない無線リンク４０２によって示されるように、ｅＩＣＩＣをサポートするマクロＵＥ１２０ｙ（たとえば、図４に示されるＲｅｌ−１０マクロＵＥ）がマクロセル１１０ｃにアクセスすることを可能にし得る、例示的なシナリオを示す。レガシーマクロＵＥ１２０ｕ（たとえば、図４に示されるＲｅｌ−８マクロＵＥ）は、切断された無線リンク４０４によって示されるように、フェムトセル１１０ｙからの厳しい干渉下ではマクロセル１１０ｃにアクセスできないことがある。フェムトＵＥ１２０ｖ（たとえば、図４に示されるＲｅｌ−８フェムトＵＥ）は、マクロセル１１０ｃからのいかなる干渉問題もなしにフェムトセル１１０ｙにアクセスすることができる。
【００４６】
いくつかの態様によれば、ネットワークは、ｅＩＣＩＣをサポートすることができ、パーティショニング情報の様々なセットが存在し得る。これらのセットのうちの第１のものは、半静的リソースパーティショニング情報（ＳＲＰＩ：Semi-Static Resource Partitioning information）と呼ばれ得る。これらのセットのうちの第２のものは、適応リソースパーティショニング情報（ＡＲＰＩ：Adaptive Resource Partitioning Information）と呼ばれ得る。その名称が示すように、ＳＲＰＩは、通常、頻繁には変化せず、また、ＳＲＰＩは、ＵＥが該ＵＥ自体の動作のためにリソースパーティショニング情報を使用できるように、該ＵＥに送られることができる。
【００４７】
一例として、リソースパーティショニングは、８ｍｓの周期性（８つのサブフレーム）または４０ｍｓの周期性（４０個のサブフレーム）で実施されることができる。いくつかの態様によれば、周波数リソースもパーティショニングされ得るように、周波数分割複信（ＦＤＤ：frequency division duplexing）も適用されることができると仮定され得る。（たとえば、セルノードＢからＵＥへの）ダウンリンクを通じた通信の場合、パーティショニングパターンは、知られているサブフレーム（たとえば、整数Ｎ（４など）の倍数であるシステムフレーム番号（ＳＦＮ：system frame number）値を有する各無線フレームの第１のサブフレーム）にマッピングされることができる。そのようなマッピングは、特定のサブフレームについてのリソースパーティショニング情報（ＲＰＩ）を決定するために適用されることができる。一例として、ダウンリンクについての（たとえば、干渉セルによってもたらされる）調整されたリソースパーティショニングを受けるサブフレームは、インデックスによって識別されることができる。  
IndexSRPI_DL ＝ (SFN * 10 + サブフレーム番号) mod 8
アップリンクについては、ＳＲＰＩマッピングは、たとえば、４ｍｓだけシフトされることができる。したがって、アップリンクについての例は、以下のようになり得る。  
IndexSRPI_UL ＝ (SFN * 10 + サブフレーム番号 + 4) mod 8
ＳＲＰＩは、各エントリについて以下の３つの値を使用することができる。  
・Ｕ（使用）：この値は、サブフレームが、このセルによって使用されるために支配的干渉からクリーンアップされた（すなわち、主要な干渉セルはこのサブフレームを使用しない）ことを示す。  
・Ｎ（使用しない）：この値は、サブフレームが使用されないことを示す。  
・Ｘ（未知）：この値は、サブフレームが静的にパーティショニングされないことを示す。基地局間のリソース使用ネゴシエーションの詳細は、ＵＥには知られない。
【００４８】
ＳＲＰＩについてのパラメータの別の可能なセットは、以下のようになり得る。  
・Ｕ（使用）：この値は、サブフレームが、このセルによって使用されるために支配的干渉からクリーンアップされた（すなわち、主要な干渉セルはこのサブフレームを使用しない）ことを示す。  
・Ｎ（使用しない）：この値は、サブフレームが使用されないことを示す。  
・Ｘ（未知）：この値は、サブフレームが静的にパーティショニングされないことを示す（基地局間のリソース使用ネゴシエーションの詳細は、ＵＥには知られない）。  
・Ｃ（共通）：この値は、すべてのセルがリソースパーティショニングなしにこのサブフレームを使用し得ることを示すことができる。このサブフレームは、干渉を受け得るものであり、したがって、基地局は、厳しい干渉を受けていないＵＥについてのみ、このサブフレームを使用することを選択することができる。
【００４９】
サービングセルのＳＲＰＩは、無線でブロードキャストされることができる。Ｅ−ＵＴＲＡＮでは、サービングセルのＳＲＰＩは、マスタ情報ブロック（ＭＩＢ：master information block）において、またはシステム情報ブロック（ＳＩＢ：system information block）のうちの１つにおいて、送られることができる。事前定義されるＳＲＰＩは、セル、たとえば、マクロセル、ピコセル（オープンアクセスの場合）、およびフェムトセル（限定アクセスの場合）の特性に基づいて定義されることができる。そのような場合、システムオーバヘッドメッセージにおけるＳＲＰＩの符号化は、無線でのより効率的なブロードキャスティングをもたらすことができる。
【００５０】
基地局は、また、ＳＩＢのうちの１つにおいてネイバーセルのＳＲＰＩをブロードキャストすることができる。このために、ＳＲＰＩは、それの対応する範囲の物理セル識別情報（ＰＣＩ：physical cell identity）を用いて送られることができる。
【００５１】
ＡＲＰＩは、ＳＲＰＩ中の「Ｘ」サブフレームについての詳細情報をもつさらなるリソースパーティショニング情報を表すことができる。上記のように、「Ｘ」サブフレームについての詳細情報は、一般に、基地局のみに知られており、ＵＥはそれを知らない。
【００５２】
図５および図６は、マクロセルおよびフェムトセルを用いたシナリオにおけるＳＲＰＩ割当ての例を示す。
【００５３】
例示的な適応リソースネゴシエーション  
上記で説明したように、異種ネットワーク（ＨｅｔＮｅｔ）に関する重要なメカニズムは、リソースのパーティショニングであり得る。一例として、セルは、特定のサブフレーム上でサイレントであり、そのカバレージ下にあるネイバーセルからのユーザがサービスされることを可能にし得る。著しい干渉を受けているユーザの観点からすると、セル間の時分割多重化（ＴＤＭ）パーティショニングは、クリーンな（保護された）サブフレームとクリーンでない（保護されていない）サブフレームとの２つのクラスのサブフレームを広く生じ得る。
【００５４】
同種ネットワークでは、互いに近接しているｅＮＢは、同じベンダーからのものである可能性が高くなり得る。したがって、ネイバー間のプロプライエタリなシグナリングおよびコラボレーションが可能であり、おそらく好適であり得る。
【００５５】
ＨｅｔＮｅｔ展開では、異なる電力クラスのｅＮＢは、異なるベンダーからのものであり、標準化された干渉に依拠する可能性がきわめて高くなり得る。シグナリングは、ロバストなパフォーマンスを保証するために、最低パフォーマンステストまたはインターオペラビリティテスト（ＩＯＴ：interoperability testing）に依拠し得る。いくつかのネットワーク実装は、クロスベンダー干渉除去およびリソース調整を保証するために、より大胆なステップを取り得る。本開示のいくつかの態様によれば、適応リソースパーティショニングは、現在の測定およびシグナリング技法に限定されない。
【００５６】
同種ネットワークにおける負荷分散は、負荷を一致させるために各セルのバイアスを変化させることを意味し得る。その結果、与えられた負荷のより均等な分配が達成され得る。しかしながら、最も強いセルが使用されないことがあるので、より低いＵＥ  ＳＮＲが使用され得る。
【００５７】
ＨｅｔＮｅｔでは、同様の概念が、強化して使用され得る。その結果、与えられた負荷のより均等な分配が達成可能となり、ＵＥのＳＮＲは、リソースパーティショニングを通じて制御されることができる。いくつかの態様によれば、ＨｅｔＮｅｔ設計は、負荷分散（ハンドオーバ）とリソースパーティショニングとの密接な結合を含み得る。負荷分散とリソースパーティショニングとの分離は、困難な場合があるが、望ましい。
【００５８】
図７は、本開示のいくつかの態様による、ｅＮＢ1１１０1とｅＮＢ2１１０2との間のピアツーピアネゴシエーションアルゴリズムを示す。最初に、７０２において、ｅＮＢ1１１０1は、ｅＮＢ1に関連した１つまたは複数のリソース関連パラメータを決定し、７０４において、ｅＮＢ2１１０2は、ｅＮＢ2に関連した１つまたは複数のリソース関連パラメータを決定する。決定された１つまたは複数のリソース関連パラメータに基づいて、７０６において、ｅＮＢ1１１０1は、ｅＮＢ2にリソースステータス報告（ＲＳＲ：resource status report）を送る。いくつかの態様では、ＲＳＲなど、ｅＮＢ1とｅＮＢ2との間の通信は、２つのｅＮＢを結合するＸ２バックホールを通じて送られ得る。ｅＮＢ1からＲＳＲを受信した後、ｅＮＢ2は、７０８において、提案されるリソースパーティショニングを決定し、７１０において、この提案されたパーティショニングを示すリソースパーティショニング更新要求メッセージをｅＮＢ1に送信する。ｅＮＢ1は、様々な理由から、受信したリソースパーティショニング更新メッセージによって示された提案されたパーティショニングを拒否することがあり、それに応答して、この拒否をｅＮＢ2に示すために、７１２において、ｅＮＢ2にリソースパーティショニング更新拒否メッセージを送信し得る。
【００５９】
ｅＮＢ1からリソースパーティショニング更新拒否メッセージを受信すると、ｅＮＢ2は、７１４において、提案される別のリソースパーティショニングを決定し、７１６において、別のリソースパーティショニング更新要求メッセージをｅＮＢ1に送信する。ｅＮＢ1は、受信した要求メッセージによって示された提案されたリソースパーティショニングを承認し、７１８において、この承認をｅＮＢ2に示すリソースパーティショニング更新承認メッセージをｅＮＢ2に送る。ｅＮＢ2から受信した提案されたリソースパーティショニングに基づいて、ｅＮＢ1は、７２０において、それに応じてリソースをスケジュールすることができる。
【００６０】
提案されるリソースパーティショニングを決定し、更新要求メッセージ中で提案されたリソースパーティショニングのインジケーションを送るこのプロセスは、ｅＮＢ1が提案されたリソースパーティショニングを承認し、ｅＮＢ2がｅＮＢ1によるこの承認を示す更新承認メッセージを受信するまで繰り返されることができる。いくつかの態様では、７０８において決定された、最初に提案されたリソースパーティショニングは、７１０における更新要求メッセージの受信後に、ｅＮＢ1によって承認されることがある。この場合、図７中のフローは、７１８における、ｅＮＢ1がこの承認をｅＮＢ2に示すリソースパーティショニング更新承認メッセージをｅＮＢ2に送るところまで、ジャンプすることができる。ｅＮＢ2から受信した最初に提案されたリソースパーティショニングに基づいて、ｅＮＢ1は、７２０においてそれに応じてリソースをスケジュールすることができる。
【００６１】
いくつかの態様では、７１０または７１６において受信したリソースパーティショニング更新要求メッセージは、ｅＮＢ2１１０2の１つまたは複数のオールモストブランクサブフレーム（ＡＢＳ、ＡＢＳＦとも呼ばれる）を示し得る。いくつかの態様では、提案されたリソースパーティショニングを示すメッセージは、ＡＢＳを示す負荷情報メッセージを含むことができる。いくつかの態様では、負荷情報メッセージは、ＡＢＳを示す１つまたは複数の情報要素（ＩＥ：information element）を含むことができる。
【００６２】
いくつかの態様によれば、ノードの各ペアは、それらの間のパーティショニングルールをネゴシエートすることができる。これは、マスタースレーブタイプのネゴシエーションを除外しない（たとえば、マクロ基地局は、フェムト基地局とネゴシエートするときに最終決定権を有し得る）。したがって、各セルは、ＡＲＰＩのセットを有し得る。
【００６３】
本開示のいくつかの態様によれば、Ｘ２ベースの通信が、２つのセル間のネゴシエーションリンクとして使用され得る。リンクは、ＵＥの無線リソース管理（ＲＲＭ）レポートに基づいて、たとえば、自動ネイバーリレーション（ＡＮＲ：automatic neighbor relation）方法（たとえば、ＲＳＲＰ（ネイバーセル）−ＲＳＲＰ（サービングセル）≧しきい値、ここで、ＲＳＲＰは基準信号の受信電力である）を使用して、確立され得る。ネゴシエーションリンクのセットは、「ジャミンググラフ（jamming graph）」を構成し得る。
【００６４】
本開示のいくつかの態様によれば、拡張境界エリア（ＥＢＡ：extended boundary area）は、保護されたリソースがスケジュールされることをＵＥが選好することになるネゴシエートしている２つのセル間のエリアとして定義され得る。
【００６５】
いくつかの態様によれば、適応パーティショニングは、バースト性トラフィックに適応可能であり得る。これは、保証ビットレート（ＧＢＲ）対非ＧＢＲトラフィックの適切な優先度に応じて異なり得る。一例として、ＧＢＲは、ネゴシエーションにおいて絶対優先を有し得る。いくつかの態様によれば、物理リソースブロック（ＰＲＢ：physical resource block）使用メトリックが、トラフィックのバースト性およびセルの負荷をキャプチャするために使用されることができる。両方のセルによって全負荷に達する場合、公平性基準は、アルゴリズムを更新するためにタイブレーカーとして使用されることができる。
【００６６】
ネットワークがｅＩＣＩＣをサポートするときには、パーティショニング情報の２つの異なるセット（すなわち、ＳＲＰＩおよびＡＲＰＩ）が存在し得る。ＳＲＰＩは、頻繁には変化せず、上記で説明したように各エントリについてＵ、Ｎ、またはＸの３つの値を使用し得る。
【００６７】
ＡＲＰＩは、ＳＲＰＩにおける「Ｘ」サブフレームについての詳細情報をもつさらなるリソースパーティショニング情報を表す。「Ｘ」サブフレームについての詳細情報は、ｅＮＢにのみ知られ、ＵＥはそれを知らない。いくつかの態様によれば、ｅＮＢは、ＡＲＰＩ構成をネゴシエートするためにＸ２メッセージまたは無線メッセージ（ＯＡＭ：over-the-air message）を使用することができる。ＡＲＰＩは、各エントリについて以下の値を使用することができる。  
・ＡＵ（適応使用（Adaptive Use））：ｅＮＢスケジューリングの観点からＵと同じであるが、ＵＥには知られない。  
・ＡＮ（適応非使用（Adaptive No Use））：ｅＮＢスケジューリングの観点からＮと同じであるが、ＵＥには知られない。  
・ＡＣ（適応共通（Adaptive Common））：すべてのセルは、ＴＤＭパーティショニングなしにこのサブフレームを使用し得るが、ＵＥには知られない。
【００６８】
ＳＲＰＩの最初のＸサブフレームは、ＡＲＰＩでは「ＡＣ」に設定され得る。
【００６９】
ＨｅｔＮｅｔにおいて適応リソースネゴシエーションをサポートするための４つのＸ２プロシージャがあり得る。これらは以下を含み得る。  
１．  ｅＩＣＩＣのためのｅＮＢ間の最初の関連付け。いくつかの態様では、関連付けのためにＸ２セットアッププロシージャを使用することは、第１の基地局において、第２の基地局のクラスまたはアクセスモードのうちの少なくとも１つを受信することを含み得る。  
２．  バックグラウンドリソースステータスプロシージャ。ｅＮＢ間でのリソースステータスの定期的交換と、追加の情報要素（ＩＥ）を用いた既存のメッセージの再使用とがあり得る。  
３．  適応リソースネゴシエーションプロシージャ。これは、リソースパーティショニング更新要求メッセージ（２つのセル間の示唆されたＡＲＰＩを含み得る）と、リソースパーティショニング更新承認メッセ―ジと、リソースパーティショニング更新拒否メッセージとを含み得る。  
４．  範囲拡大要求プロシージャ（ピコシナリオの場合）。このプロシージャは、範囲拡大を使用し始め、ハンドオーバ（ＨＯ：handover）のためにセル固有のオフセットを調節することを伴い得る。このプロシージャは、適応リソースネゴシエーションプロシージャまたはモビリティ設定変更プロシージャのいずれかと組み合わされることができる（範囲拡大要求プロシージャは、自己組織化ネットワーク（ＳＯＮ：self organizing network）のコンテキストではＲｅｌ−９において定義されている）。
【００７０】
ｅＮＢを最初に関連付けるために、Ｘ２セットアッププロシージャおよびｅＮＢ設定更新プロシージャが使用されることができる。これは、ＵＥの測定報告によって、ＡＮＲプロシージャの一部としてトリガされ得る。この初期関連付け中に、ｅＮＢがマクロｅＮＢであるのか、フェムトｅＮＢ（限定アクセスホームｅＮＢ（ＨｅＮＢ））であるのか、またはピコｅＮＢ（オープンアクセスＨｅＮＢ）であるのかを含めて、ｅＮＢのクラスおよびアクセスモードが交換され得る。
【００７１】
図８は、本開示のいくつかの態様による、ネゴシエートしている２つのセル間の例示的なＥＢＡを示す。ＥＢＡ（ｉ，ｊ）８０６は、干渉セルｊ８０２によりセルｉ８０４のＥＢＡとして定義され得る。ＥＢＡ（ｉ，ｊ）８０６中のＵＥ１２０は、セルｉ８０４のサービングｅＮＢ１１０とセルｊ８０２の干渉ｅＮＢ１１０との間のリソースパーティショニングによって、ＵＥの干渉除去とｅＮＢの干渉制御とを通してのみサービスされ得る。センター（ｉ）８０８は、ＥＢＡ（ｉ，ｊ）８０６の和を除くセルｉ８０４のカバレージエリアの残りと見なされることができる。フェムトマクロシナリオにおけるマクロセルのＥＢＡは、マクロセルカバレージ下のフェムトセルカバレージとして定義されることができる。
【００７２】
いくつかの態様では、ＡＲＰＩ（ｉ，ｊ）（ｊ＝１．．．ｎ）は、セルｊとネゴシエートされるセルｉのＡＲＰＩと見なされることができる。いくつかの態様では、ＡＲＰＩ（ｉ，センター）は、ＥＢＡ中にないＵＥのためのセルｉのＡＲＰＩと見なされることができる。いくつかの態様では、Ｎ＿ＥＢＡ（ｉ，ｊ）（ｊ＝１．．．ｎ）は、ＥＢＡ（ｉ，ｊ）内のセルｉからのサービスされるアクティブＵＥの数である。Ｎ＿ＥＢＡ（ｉ）＝ｓｕｍ＿ｊ（Ｎ＿ＥＢＡ（ｉ，ｊ））（ｊ＝１．．．ｎ）は、すべてのＥＢＡ上のセルｉのＵＥの総数と見なされることができる。Ｎ（ｉ）は、セルｉのＵＥの総数と見なされることができる。
【００７３】
ＡＲＰＩアルゴリズムのためのいくつかの入力パラメータがあり得る。たとえば、上位レイヤは、図３のスケジューラ３４４などのスケジューラにある特定の情報を与えることができる。この情報は、各ＵＥについて、ＵＥが属するＥＢＡを含むことができる。上位レイヤは、Ａ３イベントの適切な設定と対応する測定報告とによってＵＥのＥＢＡを追跡することができる。ＬＴＥでは、イベントが報告をトリガし、Ａ３イベントは、ネイバーセルがサービングセルに対するオフセットよりも良好になるときを示す。この情報はまた、ＡＲＰＩ（ｉ，ｊ）（ｊ＝１．．．ｎ）センターを含むことができる。ＡＲＰＩ（ｉ，ｊ）（ｊ＝１．．．ｎ）のＵ／ＡＵサブフレームは、ＥＢＡ（ｉ，ｊ）中のＵＥのために利用可能なリソースを決定することができ、ＡＲＰＩ（ｉ，センター）のＵ／ＡＵ／ＡＣサブフレームは、センター（ｉ）中のＵＥのために利用可能なリソースを決定することができる。上位レイヤは、また、測定および報告の頻度のためのフィルタリング時間ウィンドウをスケジューラに与えることができる。スケジューラは、ＵＥのためのリソースをスケジュールしながら上記の情報を使用することができる。
【００７４】
メディアアクセス制御（ＭＡＣ）レイヤは、同じエリアに属するＵＥのグループについて（すなわち、すべてのＥＢＡ（ｉ，ｊ）について（ｊ＝１．．．ｎ）、ｎｏＥＢＡ）値を測定することができる。そのようなパラメータの詳細は、ＴＳ３６．３１４において定義されている。これらの値は以下を含み得る：  
・ＤＬ／ＵＬ総ＰＲＢ使用（利用可能なリソースに対する％）：ＰＲＢ＿ｔｏｔａｌ（ｉ，ｊ）  
・ＤＬ／ＵＬ  ＧＢＲ  ＰＲＢ使用（利用可能なリソースに対する％）：ＰＲＢ＿ＧＢＲ（ｉ，ｊ）  
・ＤＬ／ＵＬ非ＧＢＲ  ＰＲＢ使用（利用可能なリソースに対する％）：ＰＲＢ＿非ＧＢＲ（ｉ，ｊ）  
・ＤＬ／ＵＬ上でキューイングされた専用トラフィックチャネル（ＤＴＣＨ：Dedicated Traffic Channel）データを有するＵＥの平均数：Ｎ＿ＥＢＡ（ｉ，ｊ）  
・ＧＢＲベアラに関する平均ＤＬ／ＵＬセルデータレート：Ｂｉｔｒａｔｅ＿ＧＢＲ（ｉ，ｊ）  
・非ＧＢＲベアラに関する平均ＤＬ／ＵＬセルデータレート：Ｂｉｔｒａｔｅ＿ｎｏｎＧＢＲ（ｉ，ｊ）。
【００７５】
ＡＲＰＩネゴシエーションについてのｅＮＢ挙動に関して、ネイバーｅＮＢは、上記で定義したパラメータを交換することができる。入力側では、ｅＮＢは、バックホールメッセージを通じてＭＡＣレイヤからのサービングセル（セルｉ）パラメータおよびセルｊからの近隣セルパラメータを交換することができる。出力側では、ｅＮＢは、システムパフォーマンスおよび公平性を最大化するために、または少なくとも増大させるために、内部アルゴリズムに基づいて新しいＡＲＰＩ（ｉ，ｊ）を交換することができる。新しいＡＲＰＩ（ｉ，ｊ）が現在のＡＲＰＩ（ｉ，ｊ）とは異なる場合、セルｉのｅＮＢは、リソースパーティショニング更新要求メッセージを送ることによって、セルｊのｅＮＢとネゴシエーションを開始することができる。
【００７６】
図９は、本開示のいくつかの態様による、第２の基地局から受信したリソースパーティショニングに基づいて第１の基地局においてリソースをスケジュールするために実行される例示的なブロック９００を概念的に示す機能ブロック図である。ブロック９００は、たとえば、第１の基地局としてｅＮＢ１１０によって実行されることができ、第２の基地局は、また、ｅＮＢ１１０であることができ、これは、ＨｅｔＮｅｔでは、第１の基地局とは異なるクラスのものであり得る、および／または異なるアクセスモードを有し得る。たとえば、第２の基地局は、マクロ基地局であり得るのに対し、第１の基地局は、フェムト基地局またはピコ基地局であり得る。
【００７７】
ブロック９０２において、第１の基地局は、第２の基地局にリソースステータスメッセージを送る。ブロック９０４において、第１の基地局は、第２の基地局から、第１の基地局と第２の基地局との間の提案されたリソースパーティショニングを示すメッセージを受信し、この提案されたリソースパーティショニングは、リソースステータスメッセージに基づき得る。ブロック９０６において、第１の基地局は、受信したリソースパーティショニングに基づいてリソースをスケジュールする。
【００７８】
いくつかの態様では、第１の基地局は、第２の基地局に、提案されたリソースパーティショニングが第１の基地局によって承認されたという通知を送ることができる。いくつかの態様では、第１の基地局は、第１の基地局と第２の基地局との間の提案されたリソースパーティショニングを示すメッセージを受信する前に第２の基地局から、第１の基地局と第２の基地局との間の他の提案されたリソースパーティショニングを示す別のメッセージを受信し、その、他の提案されたリソースパーティショニングを拒否し、第２の基地局に、拒否された提案されたリソースパーティショニングの通知を送ることができる。いくつかの態様では、第１の基地局は、第１の基地局に関連したリソースステータスに関係する１つまたは複数のパラメータを決定することができ、リソースステータスメッセージはパラメータを示す。
【００７９】
図１０は、本開示のいくつかの態様による、第１の基地局と第２の基地局との間の提案されるリソースパーティショニングを決定するために実行される例示的なブロック１０００を概念的に示す機能ブロック図である。ブロック１０００は、たとえば、第１の基地局としてｅＮＢ１１０によって実行されることができ、第２の基地局は、また、ｅＮＢ１１０であることができ、これは、ＨｅｔＮｅｔでは、第１の基地局とは異なるクラスのものであり得る、および／または異なるアクセスモードを有し得る。たとえば、第１の基地局は、マクロ基地局であり得るのに対し、第２の基地局は、ピコ基地局またはフェムト基地局であり得る。
【００８０】
ブロック１００２において、第１の基地局は、第２の基地局からリソースステータスメッセージを受信する。ブロック１００４において、第１の基地局は、第１の基地局におけるリソース使用に関係する１つまたは複数のパラメータを決定する。ブロック１００６において、第１の基地局は、受信したリソースステータスメッセージとパラメータとに基づいて第１の基地局と第２の基地局との間の提案されるリソースパーティショニングを決定する。ブロック１００８において、第１の基地局は、提案されたリソースパーティショニングを第２の基地局に送る。
【００８１】
いくつかの態様では、第１の基地局は、提案されたリソースパーティショニングが第２の基地局によって承認されたという通知を受信することができる。いくつかの態様では、第１の基地局は、提案されたリソースパーティショニングが第２の基地局によって拒否されたという通知を受信し、第１の基地局と第２の基地局との間の他の提案されるリソースパーティショニングを決定し、他の提案されたリソースパーティショニングを示す別のメッセージを第２の基地局に送ることができる。
【００８２】
いくつかの態様では、第１の基地局は、第２の基地局からリソースステータスメッセージを受信する前に第１の基地局と第２の基地局との間の現在のリソースパーティショニングを決定することができ、提案されたリソースパーティショニングは、提案されたリソースパーティショニングが現在のリソースパーティショニングとは異なる場合にのみ送られる。いくつかの態様では、第１の基地局は、第１の基地局によってのみカバーされるエリア中のＵＥについて第１の基地局によって決定された独立したリソースパーティショニングに基づいてリソースをスケジュールすることができる。
【００８３】
上記で説明した方法の様々な動作は、対応する機能を実施可能な任意の適切な手段によって実施されることができる。該手段は、これらに限定するものではないが、回路、特定用途向け集積回路（ＡＳＩＣ）、またはプロセッサを含めた、様々な（１つまたは複数の）ハードウェアおよび／またはソフトウェアコンポーネントおよび／またはモジュールを含み得る。たとえば、送信するための手段または送るための手段は、図３のｅＮＢ１１０のネットワークバックホールとコントローラ／プロセッサ３４０との間に結合されたインターフェース、あるいは、図３に示すｅＮＢ１１０の送信機、変調器３３２、および／またはアンテナ３３４を備えることができる。受信するための手段は、図３のｅＮＢ１１０のネットワークバックホールとコントローラ／プロセッサ３４０との間に結合されたインターフェース、あるいは図３に示すｅＮＢ１１０の受信機、復調器３３２、および／またはアンテナ３３４を備えることができる。処理するための手段、決定するための手段、使用するための手段、スケジュールするための手段、および／または拒否するための手段は、処理システムを備えることができ、その処理システムは、図３に示すｅＮＢ１１０の送信プロセッサ３２０、受信プロセッサ３３８、および／またはコントローラ／プロセッサ３４０など、少なくとも１つのプロセッサを含み得る。スケジュールするための手段は、また、図３に示すｅＮＢ１１０のスケジューラ３４４を備えることができる。
【００８４】
情報および信号は、多種多様な技術および技法のいずれかを使用して表され得ることが、当業者には理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８５】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることが、当業者には諒解されよう。ハードウェアとソフトウェアのこの交換可能性を明確に示すために、様々な例示的なコンポーネント、ブロック、モジュール、回路、およびステップが、以上では概してそれらの機能に関して説明された。そのような機能がハードウェアとして実装されるかソフトウェアとして実装されるかは、特定の適用例および全体的なシステムに課される設計制約によって決まる。当業者は、説明した機能を特定の適用例ごとに様々な方法で実装し得るが、そのような実装の決定は、本開示の範囲からの逸脱を生じるものと解釈すべきではない。
【００８６】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいは本明細書で説明した機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、またはステートマシンであり得る。プロセッサは、また、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８７】
本明細書の開示に関連して説明した方法またはアルゴリズムの諸ステップは、直接ハードウェアに組み込まれることができ、プロセッサによって実行されるソフトウェアモジュールに組み込まれることができ、またはそれら２つの組合せに組み込まれることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在することができる。例示的な記憶媒体は、プロセッサが記憶媒体から情報を読み取り、記憶媒体に情報を書き込むことができるように、プロセッサに結合される。代替として、記憶媒体は、プロセッサに一体化されることもできる。プロセッサおよび記憶媒体は、ＡＳＩＣ中に存在することができる。ＡＳＩＣは、ユーザ端末内に存在することができる。代替として、プロセッサおよび記憶媒体は、ユーザ端末中に個別コンポーネントとして存在することもできる。
【００８８】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶される、あるいはコンピュータ可読媒体を通じて伝送されることができる。コンピュータ可読媒体は、ある場所から別の場所へのコンピュータプログラムの移動を容易にする任意の媒体を含めた、コンピュータ記憶媒体および通信媒体の両方を含む。記憶媒体は、汎用または専用コンピュータによってアクセスされることのできる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態で所望のプログラムコード手段を搬送または記憶するために使用されることができ、汎用もしくは専用コンピュータまたは汎用もしくは専用プロセッサによってアクセスされることができる、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから伝送される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもまたコンピュータ可読媒体の範囲内に含めるべきである。
【００８９】
本開示の上記説明は、当業者が本開示を製造または使用可能となるように提供される。本開示への様々な修正は、当業者には容易に明らかであり、本明細書で定義された一般原理は、本開示の趣旨または範囲から逸脱することなく他の変形形態に適用され得る。したがって、本開示は、本明細書で説明する例および設計に限定されるものではなく、本明細書で開示する原理および新規の特徴と矛盾しない最も広い範囲を与えられるべきである。
【図１】
2015136134.tif 000003
【図２】
2015136134.tif 000004
【図２Ａ】
2015136134.tif 000005
【図３】
2015136134.tif 000006
【図４】
2015136134.tif 000007
【図５】
2015136134.tif 000008
【図６】
2015136134.tif 000009
【図７】
2015136134.tif 000010
【図８】
2015136134.tif 000011
【図９】
2015136134.tif 000012
【図１０】
2015136134.tif 000013
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の基地局から、第２の基地局にリソースステータスメッセージを送ることと、
前記第１の基地局において、前記第２の基地局から、前記第１の基地局と前記第２の基地局との間の提案されたリソースパーティショニングを示すメッセージを受信することであって、前記提案されたリソースパーティショニングが前記リソースステータスメッセージに基づく、受信することと、
前記受信したリソースパーティショニングに基づいて前記第１の基地局においてリソースをスケジュールすることと
を備える、ワイヤレス通信のための方法。
【手続補正２】
【補正対象書類名】明細書
【補正対象項目名】００８９
【補正方法】変更
【補正の内容】
【００８９】
本開示の上記説明は、当業者が本開示を製造または使用可能となるように提供される。本開示への様々な修正は、当業者には容易に明らかであり、本明細書で定義された一般原理は、本開示の趣旨または範囲から逸脱することなく他の変形形態に適用され得る。したがって、本開示は、本明細書で説明する例および設計に限定されるものではなく、本明細書で開示する原理および新規の特徴と矛盾しない最も広い範囲を与えられるべきである。
以下に、本願の出願当初請求項に記載された発明を付記する。
［Ｃ１］
ワイヤレス通信のための方法であって、
第１の基地局から、第２の基地局にリソースステータスメッセージを送ることと、
前記第１の基地局において、前記第２の基地局から、前記第１の基地局と前記第２の基地局との間の提案されたリソースパーティショニングを示すメッセージを受信することであって、前記提案されたリソースパーティショニングが前記リソースステータスメッセージに基づく、受信することと、
前記受信したリソースパーティショニングに基づいて前記第１の基地局においてリソースをスケジュールすることと
を備える、ワイヤレス通信のための方法。
［Ｃ２］
前記第１の基地局から前記第２の基地局に、前記提案されたリソースパーティショニングが前記第１の基地局によって承認されたという通知を送ることをさらに備える、上記Ｃ１に記載の方法。
［Ｃ３］
前記メッセージを受信する前に前記第２の基地局から、前記第１の基地局と前記第２の基地局との間の他の提案されたリソースパーティショニングを示す別のメッセージを受信することと、
前記他の提案されたリソースパーティショニングを拒否することと、
前記第１の基地局から前記第２の基地局に、前記拒否された他の提案されたリソースパーティショニングの通知を送ることと
をさらに備える、上記Ｃ１に記載の方法。
［Ｃ４］
前記提案されたリソースパーティショニングを示す前記メッセージがＸ２バックホールを通じて受信される、上記Ｃ１に記載の方法。
［Ｃ５］
前記提案されたリソースパーティショニングを示す前記メッセージが無線メッセージ（ＯＡＭ）を通じて受信される、上記Ｃ１に記載の方法。
［Ｃ６］
前記第１の基地局と前記第２の基地局とを最初に関連付けるためにＸ２セットアッププロシージャを使用することをさらに備える、上記Ｃ１に記載の方法。
［Ｃ７］
前記使用することが、前記第２の基地局に前記第１の基地局のクラスまたはアクセスモードのうちの少なくとも１つを送ることを含む、上記Ｃ６に記載の方法。
［Ｃ８］
前記第１の基地局に関連したリソースステータスに関係する１つまたは複数のパラメータを決定することをさらに備え、前記リソースステータスメッセージが前記パラメータを示す、上記Ｃ１に記載の方法。
［Ｃ９］
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、上記Ｃ８に記載の方法。
［Ｃ１０］
前記スケジュールすることが、
前記第２の基地局によってカバーされる第１のエリア中の第１のユーザ機器（ＵＥ）について前記受信したリソースパーティショニングに基づいて前記リソースをスケジュールすることと、
前記第１の基地局によってのみカバーされる第２のエリア中の第２のＵＥについて前記第１の基地局によって決定される独立したリソースパーティショニングに基づいて前記リソースをスケジュールすることと
を含む、上記Ｃ１に記載の方法。
［Ｃ１１］
前記受信した提案されたリソースパーティショニングが、前記第２の基地局の１つまたは複数のオールモストブランクサブフレーム（ＡＢＳ）を含む、上記Ｃ１に記載の方法。
［Ｃ１２］
前記提案されたリソースパーティショニングを示す前記メッセージが、前記ＡＢＳを示す負荷情報メッセージを含む、上記Ｃ１１に記載の方法。
［Ｃ１３］
前記負荷情報メッセージが、前記ＡＢＳを示す情報要素（ＩＥ）を含む、上記Ｃ１２に記載の方法。
［Ｃ１４］
前記第１の基地局がピコ基地局またはフェムト基地局であり、前記第２の基地局がマクロ基地局である、上記Ｃ１に記載の方法。
［Ｃ１５］
ワイヤレス通信のための装置であって、
基地局にリソースステータスメッセージを送るための手段と、
前記基地局から、前記装置と前記基地局との間の提案されたリソースパーティショニングを示すメッセージを受信するための手段であって、前記提案されたリソースパーティショニングが前記リソースステータスメッセージに基づく、受信するための手段と、
前記受信したリソースパーティショニングに基づいてリソースをスケジュールするための手段と
を備える、ワイヤレス通信のための装置。
［Ｃ１６］
送るための前記手段は、前記基地局に、前記提案されたリソースパーティショニングが前記装置によって承認されたという通知を送るように構成される、上記Ｃ１５に記載の装置。
［Ｃ１７］
前記メッセージを受信する前に前記基地局から、前記装置と前記基地局との間の他の提案されたリソースパーティショニングを示す別のメッセージを受信するための手段と、
前記他の提案されたリソースパーティショニングを拒否するための手段と、をさらに備え、送るための前記手段が、前記基地局に、前記拒否された他の提案されたリソースパーティショニングの通知を送るように構成される、上記Ｃ１５に記載の装置。
［Ｃ１８］
前記提案されたリソースパーティショニングを示す前記メッセージがＸ２バックホールを通じて受信される、上記Ｃ１５に記載の装置。
［Ｃ１９］
前記提案されたリソースパーティショニングを示す前記メッセージが無線メッセージ（ＯＡＭ）を通じて受信される、上記Ｃ１５に記載の装置。
［Ｃ２０］
前記装置と前記基地局とを最初に関連付けるためにＸ２セットアッププロシージャを使用するための手段をさらに備える、上記Ｃ１５に記載の装置。
［Ｃ２１］
前記Ｘ２セットアッププロシージャを使用するための前記手段が、前記基地局に前記装置のクラスまたはアクセスモードのうちの少なくとも１つを送るように構成される、上記Ｃ２０に記載の装置。
［Ｃ２２］
前記装置に関連したリソースステータスに関係する１つまたは複数のパラメータを決定するための手段をさらに備え、前記リソースステータスメッセージが前記パラメータを示す、上記Ｃ１５に記載の装置。
［Ｃ２３］
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、上記Ｃ２２に記載の装置。
［Ｃ２４］
スケジュールするための前記手段が、
前記基地局によってカバーされる第１のエリア中の第１のユーザ機器（ＵＥ）について前記受信したリソースパーティショニングに基づいて前記リソースをスケジュールし、
前記装置によってのみカバーされる第２のエリア中の第２のＵＥについて前記装置によって決定される独立したリソースパーティショニングに基づいて前記リソースをスケジュールする
ように構成される、上記Ｃ１５に記載の装置。
［Ｃ２５］
前記受信した提案されたリソースパーティショニングが、前記基地局の１つまたは複数のオールモストブランクサブフレーム（ＡＢＳ）を含む、上記Ｃ１５に記載の装置。
［Ｃ２６］
前記提案されたリソースパーティショニングを示す前記メッセージが、前記ＡＢＳを示す負荷情報メッセージを含む、上記Ｃ２５に記載の装置。
［Ｃ２７］
前記負荷情報メッセージが、前記ＡＢＳを示す情報要素（ＩＥ）を含む、上記Ｃ２６に記載の装置。
［Ｃ２８］
前記装置がピコ基地局またはフェムト基地局であり、前記基地局がマクロ基地局である、上記Ｃ１５に記載の装置。
［Ｃ２９］
ワイヤレス通信のための装置であって、
基地局にリソースステータスメッセージを送るように構成された送信機と、
前記基地局から、前記装置と前記基地局との間の提案されたリソースパーティショニングを示すメッセージを受信するように構成された受信機であって、前記提案されたリソースパーティショニングが前記リソースステータスメッセージに基づく、受信機と、
前記受信したリソースパーティショニングに基づいてリソースをスケジュールするように構成されたスケジューラと
を備える、ワイヤレス通信のための装置。
［Ｃ３０］
前記送信機は、前記基地局に、前記提案されたリソースパーティショニングが前記装置によって承認されたという通知を送るように構成される、上記Ｃ２９に記載の装置。
［Ｃ３１］
少なくとも１つのプロセッサをさらに備え、前記受信機が、前記メッセージを受信する前に前記基地局から、前記装置と前記基地局との間の他の提案されたリソースパーティショニングを示す別のメッセージを受信するように構成され、前記少なくとも１つのプロセッサが、前記他の提案されたリソースパーティショニングを拒否するように構成され、前記送信機が、前記基地局に、前記拒否された他の提案されたリソースパーティショニングの通知を送るように構成される、上記Ｃ２９に記載の装置。
［Ｃ３２］
前記提案されたリソースパーティショニングを示す前記メッセージがＸ２バックホールを通じて受信される、上記Ｃ２９に記載の装置。
［Ｃ３３］
前記提案されたリソースパーティショニングを示す前記メッセージが無線メッセージ（ＯＡＭ）を通じて受信される、上記Ｃ２９に記載の装置。
［Ｃ３４］
前記装置と前記基地局とを最初に関連付けるためにＸ２セットアッププロシージャを使用するように構成された少なくとも１つのプロセッサをさらに備える、上記Ｃ２９に記載の装置。
［Ｃ３５］
前記少なくとも１つのプロセッサが、前記基地局に前記装置のクラスまたはアクセスモードのうちの少なくとも１つを送ることによって前記Ｘ２セットアッププロシージャを使用するように構成される、上記Ｃ３４に記載の装置。
［Ｃ３６］
前記装置に関連したリソースステータスに関係する１つまたは複数のパラメータを決定するように構成された少なくとも１つのプロセッサをさらに備え、前記リソースステータスメッセージが前記パラメータを示す、上記Ｃ２９に記載の装置。
［Ｃ３７］
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、上記Ｃ３６に記載の装置。
［Ｃ３８］
前記スケジューラが、
前記基地局によってカバーされる第１のエリア中の第１のユーザ機器（ＵＥ）について前記受信したリソースパーティショニングに基づいて前記リソースをスケジュールし、
前記装置によってのみカバーされる第２のエリア中の第２のＵＥについて前記装置によって決定される独立したリソースパーティショニングに基づいて前記リソースをスケジュールする
ように構成される、上記Ｃ２９に記載の装置。
［Ｃ３９］
前記受信した提案されたリソースパーティショニングが、前記基地局の１つまたは複数のオールモストブランクサブフレーム（ＡＢＳ）を含む、上記Ｃ２９に記載の装置。
［Ｃ４０］
前記提案されたリソースパーティショニングを示す前記メッセージが、前記ＡＢＳを示す負荷情報メッセージを含む、上記Ｃ３９に記載の装置。
［Ｃ４１］
前記負荷情報メッセージが、前記ＡＢＳを示す情報要素（ＩＥ）を含む、上記Ｃ４０に記載の装置。
［Ｃ４２］
前記装置がピコ基地局またはフェムト基地局であり、前記基地局がマクロ基地局である、上記Ｃ２９に記載の装置。
［Ｃ４３］
ワイヤレス通信のためのコンピュータプログラム製品であって、
第１の基地局から、第２の基地局にリソースステータスメッセージを送ることと、
前記第１の基地局において、前記第２の基地局から、前記第１の基地局と前記第２の基地局との間の提案されたリソースパーティショニングを示すメッセージを受信することであって、前記提案されたリソースパーティショニングが前記リソースステータスメッセージに基づく、受信することと、
前記受信したリソースパーティショニングに基づいて前記第１の基地局においてリソースをスケジュールすることと
のためのコードを有するコンピュータ可読媒体
を備える、コンピュータプログラム製品。
［Ｃ４４］
前記第１の基地局から前記第２の基地局に、前記提案されたリソースパーティショニングが前記第１の基地局によって承認されたという通知を送るためのコードをさらに備える、上記Ｃ４３に記載のコンピュータプログラム製品。
［Ｃ４５］
前記メッセージを受信する前に前記第２の基地局から、前記第１の基地局と前記第２の基地局との間の他の提案されたリソースパーティショニングを示す別のメッセージを受信することと、
前記他の提案されたリソースパーティショニングを拒否することと、
前記第１の基地局から前記第２の基地局に、前記拒否された他の提案されたリソースパーティショニングの通知を送ることと
のためのコードをさらに備える、上記Ｃ４３に記載のコンピュータプログラム製品。
［Ｃ４６］
前記提案されたリソースパーティショニングを示す前記メッセージがＸ２バックホールを通じて受信される、上記Ｃ４３に記載のコンピュータプログラム製品。
［Ｃ４７］
前記提案されたリソースパーティショニングを示す前記メッセージが無線メッセージ（ＯＡＭ）を通じて受信される、上記Ｃ４３に記載のコンピュータプログラム製品。
［Ｃ４８］
前記第１の基地局と前記第２の基地局とを最初に関連付けるためにＸ２セットアッププロシージャを使用するためのコードをさらに備える、上記Ｃ４３に記載のコンピュータプログラム製品。
［Ｃ４９］
前記使用することが、前記第２の基地局に前記第１の基地局のクラスまたはアクセスモードのうちの少なくとも１つを送ることを含む、上記Ｃ４８に記載のコンピュータプログラム製品。
［Ｃ５０］
前記第１の基地局に関連したリソースステータスに関係する１つまたは複数のパラメータを決定するためのコードをさらに備え、前記リソースステータスメッセージが前記パラメータを示す、上記Ｃ４３に記載のコンピュータプログラム製品。
［Ｃ５１］
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、上記Ｃ５０に記載のコンピュータプログラム製品。
［Ｃ５２］
前記スケジュールすることが、
前記第２の基地局によってカバーされる第１のエリア中の第１のユーザ機器（ＵＥ）について前記受信したリソースパーティショニングに基づいて前記リソースをスケジュールすることと、
前記第１の基地局によってのみカバーされる第２のエリア中の第２のＵＥについて前記第１の基地局によって決定される独立したリソースパーティショニングに基づいて前記リソースをスケジュールすることと
を含む、上記Ｃ４３に記載のコンピュータプログラム製品。
［Ｃ５３］
前記受信した提案されたリソースパーティショニングが、前記第２の基地局の１つまたは複数のオールモストブランクサブフレーム（ＡＢＳ）を含む、上記Ｃ４３に記載のコンピュータプログラム製品。
［Ｃ５４］
前記提案されたリソースパーティショニングを示す前記メッセージが、前記ＡＢＳを示す負荷情報メッセージを含む、上記Ｃ５３に記載のコンピュータプログラム製品。
［Ｃ５５］
前記負荷情報メッセージが、前記ＡＢＳを示す情報要素（ＩＥ）を含む、上記Ｃ５４に記載のコンピュータプログラム製品。
［Ｃ５６］
前記第１の基地局がピコ基地局またはフェムト基地局であり、前記第２の基地局がマクロ基地局である、上記Ｃ４３に記載のコンピュータプログラム製品。
［Ｃ５７］
ワイヤレス通信のための方法であって、
第１の基地局において、第２の基地局からリソースステータスメッセージを受信することと、
前記第１の基地局におけるリソース使用に関係する１つまたは複数のパラメータを決定することと、
前記受信したリソースステータスメッセージと前記パラメータとに基づいて前記第１の基地局と前記第２の基地局との間の提案されるリソースパーティショニングを決定することと、
前記第１の基地局から前記第２の基地局に、前記提案されたリソースパーティショニングのインジケーションを送ることと
を備える、ワイヤレス通信のための方法。
［Ｃ５８］
前記第１の基地局において、前記提案されたリソースパーティショニングが前記第２の基地局によって承認されたという通知を受信することをさらに備える、上記Ｃ５７に記載の方法。
［Ｃ５９］
前記第１の基地局において、前記提案されたリソースパーティショニングが前記第２の基地局によって拒否されたという通知を受信することと、
前記第１の基地局と前記第２の基地局との間の他の提案されるリソースパーティショニングを決定することと、
前記第１の基地局から前記第２の基地局に、前記他の提案されたリソースパーティショニングの別のインジケーションを送ることと
をさらに備える、上記Ｃ５７に記載の方法。
［Ｃ６０］
前記受信することの前に前記第１の基地局と前記第２の基地局との間の現在のリソースパーティショニングを決定することをさらに備え、前記提案されたリソースパーティショニングが前記現在のリソースパーティショニングとは異なる場合にのみ、前記提案されたリソースパーティショニングの前記インジケーションが送られる、上記Ｃ５７に記載の方法。
［Ｃ６１］
前記提案されたリソースパーティショニングの前記インジケーションがＸ２バックホールを通じて送られる、上記Ｃ５７に記載の方法。
［Ｃ６２］
前記提案されたリソースパーティショニングの前記インジケーションが無線メッセージ（ＯＡＭ）を通じて送られる、上記Ｃ５７に記載の方法。
［Ｃ６３］
前記第１の基地局と前記第２の基地局とを最初に関連付けるためにＸ２セットアッププロシージャを使用することをさらに備える、上記Ｃ５７に記載の方法。
［Ｃ６４］
前記使用することが、前記第１の基地局において、前記第２の基地局のクラスまたはアクセスモードのうちの少なくとも１つを受信することを含む、上記Ｃ６３に記載の方法。
［Ｃ６５］
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、上記Ｃ５７に記載の方法。
［Ｃ６６］
前記第１の基地局によってのみカバーされるエリア中のユーザ機器（ＵＥ）について前記第１の基地局によって決定される独立したリソースパーティショニングに基づいてリソースをスケジュールすることをさらに備える、上記Ｃ５７に記載の方法。
［Ｃ６７］
前記提案されたリソースパーティショニングが、前記第１の基地局の１つまたは複数のオールモストブランクサブフレーム（ＡＢＳ）を含む、上記Ｃ５７に記載の方法。
［Ｃ６８］
前記提案されたリソースパーティショニングの前記インジケーションが、前記ＡＢＳを示す負荷情報メッセージを含む、上記Ｃ６７に記載の方法。
［Ｃ６９］
前記負荷情報メッセージが、前記ＡＢＳを示す情報要素（ＩＥ）を含む、上記Ｃ６８に記載の方法。
［Ｃ７０］
前記第１の基地局がマクロ基地局であり、前記第２の基地局がピコ基地局またはフェムト基地局である、上記Ｃ５７に記載の方法。
［Ｃ７１］
ワイヤレス通信のための装置であって、
基地局からリソースステータスメッセージを受信するための手段と、
前記装置におけるリソース使用に関係する１つまたは複数のパラメータを決定するための手段と、
前記受信したリソースステータスメッセージと前記パラメータとに基づいて前記装置と前記基地局との間の提案されるリソースパーティショニングを決定するための手段と、
前記基地局に前記提案されたリソースパーティショニングのインジケーションを送るための手段と
を備える、ワイヤレス通信のための装置。
［Ｃ７２］
受信するための前記手段は、前記提案されたリソースパーティショニングが前記基地局によって承認されたという通知を受信するように構成される、上記Ｃ７１に記載の装置。
［Ｃ７３］
受信するための前記手段は、前記提案されたリソースパーティショニングが前記基地局によって拒否されたという通知を受信するように構成され、前記提案されたリソースパーティショニングを決定するための前記手段が、前記装置と前記基地局との間の他の提案されたリソースパーティショニングを決定するように構成され、送るための前記手段が、前記基地局に、前記他の提案されたリソースパーティショニングの別のインジケーションを送るように構成される、上記Ｃ７１に記載の装置。
［Ｃ７４］
前記リソースステータスメッセージを受信する前に前記装置と前記基地局との間の現在のリソースパーティショニングを決定するための手段をさらに備え、前記提案されたリソースパーティショニングが前記現在のリソースパーティショニングとは異なる場合にのみ、前記提案されたリソースパーティショニングの前記インジケーションが送られる、上記Ｃ７１に記載の装置。
［Ｃ７５］
前記提案されたリソースパーティショニングの前記インジケーションがＸ２バックホールを通じて送られる、上記Ｃ７１に記載の装置。
［Ｃ７６］
前記提案されたリソースパーティショニングの前記インジケーションが無線メッセージ（ＯＡＭ）を通じて送られる、上記Ｃ７１に記載の装置。
［Ｃ７７］
前記装置と前記基地局とを最初に関連付けるためにＸ２セットアッププロシージャを使用するための手段をさらに備える、上記Ｃ７１に記載の装置。
［Ｃ７８］
使用するための前記手段が、前記基地局のクラスまたはアクセスモードのうちの少なくとも１つを受信するように構成される、上記Ｃ７７に記載の装置。
［Ｃ７９］
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、上記Ｃ７１に記載の装置。
［Ｃ８０］
前記装置によってのみカバーされるエリア中のユーザ機器（ＵＥ）について前記装置によって決定される独立したリソースパーティショニングに基づいてリソースをスケジュールするための手段をさらに備える、上記Ｃ７１に記載の装置。
［Ｃ８１］
前記提案されたリソースパーティショニングが、前記装置の１つまたは複数のオールモストブランクサブフレーム（ＡＢＳ）を含む、上記Ｃ７１に記載の装置。
［Ｃ８２］
前記提案されたリソースパーティショニングの前記インジケーションが、前記ＡＢＳを示す負荷情報メッセージを含む、上記Ｃ８１に記載の装置。
［Ｃ８３］
前記負荷情報メッセージが、前記ＡＢＳを示す情報要素（ＩＥ）を含む、上記Ｃ８２に記載の装置。
［Ｃ８４］
前記装置がマクロ基地局であり、前記基地局がピコ基地局またはフェムト基地局である、上記Ｃ７１に記載の装置。
［Ｃ８５］
ワイヤレス通信のための装置であって、
基地局からリソースステータスメッセージを受信するように構成された受信機と、
前記装置におけるリソース使用に関係する１つまたは複数のパラメータを決定し、
前記受信したリソースステータスメッセージと前記パラメータとに基づいて前記装置と前記基地局との間の提案されるリソースパーティショニングを決定する
ように構成された少なくとも１つのプロセッサと、
前記基地局に前記提案されたリソースパーティショニングのインジケーションを送るように構成された送信機と
を備える、ワイヤレス通信のための装置。
［Ｃ８６］
前記受信機は、前記提案されたリソースパーティショニングが前記基地局によって承認されたという通知を受信するように構成される、上記Ｃ８５に記載の装置。
［Ｃ８７］
前記受信機は、前記提案されたリソースパーティショニングが前記基地局によって拒否されたという通知を受信するように構成され、前記少なくとも１つのプロセッサが、前記装置と前記基地局との間の他の提案されるリソースパーティショニングを決定するように構成され、前記送信機が、前記基地局に、前記他の提案されたリソースパーティショニングの別のインジケーションを送るように構成される、上記Ｃ８５に記載の装置。
［Ｃ８８］
前記少なくとも１つのプロセッサが、前記リソースステータスメッセージを受信する前に前記装置と前記基地局との間の現在のリソースパーティショニングを決定するように構成され、前記提案されたリソースパーティショニングが前記現在のリソースパーティショニングとは異なる場合にのみ、前記提案されたリソースパーティショニングの前記インジケーションが送られる、上記Ｃ８５に記載の装置。
［Ｃ８９］
前記提案されたリソースパーティショニングの前記インジケーションがＸ２バックホールを通じて送られる、上記Ｃ８５に記載の装置。
［Ｃ９０］
前記提案されたリソースパーティショニングの前記インジケーションが無線メッセージ（ＯＡＭ）を通じて送られる、上記Ｃ８５に記載の装置。
［Ｃ９１］
前記少なくとも１つのプロセッサが、前記装置と前記基地局とを最初に関連付けるためにＸ２セットアッププロシージャを使用するように構成される、上記Ｃ８５に記載の装置。
［Ｃ９２］
前記少なくとも１つのプロセッサが、前記基地局のクラスまたはアクセスモードのうちの少なくとも１つを受信することによって前記Ｘ２セットアッププロシージャを使用するように構成される、上記Ｃ９１に記載の装置。
［Ｃ９３］
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、上記Ｃ８５に記載の装置。
［Ｃ９４］
前記装置によってのみカバーされるエリア中のユーザ機器（ＵＥ）について前記装置によって決定される独立したリソースパーティショニングに基づいてリソースをスケジュールするように構成されたスケジューラをさらに備える、上記Ｃ８５に記載の装置。
［Ｃ９５］
前記提案されたリソースパーティショニングが、前記装置の１つまたは複数のオールモストブランクサブフレーム（ＡＢＳ）を含む、上記Ｃ８５に記載の装置。
［Ｃ９６］
前記提案されたリソースパーティショニングの前記インジケーションが、前記ＡＢＳを示す負荷情報メッセージを含む、上記Ｃ９５に記載の装置。
［Ｃ９７］
前記負荷情報メッセージが、前記ＡＢＳを示す情報要素（ＩＥ）を含む、上記Ｃ９６に記載の装置。
［Ｃ９８］
前記装置がマクロ基地局であり、前記基地局がピコ基地局またはフェムト基地局である、上記Ｃ８５に記載の装置。
［Ｃ９９］
ワイヤレス通信のためのコンピュータプログラム製品であって、
第１の基地局において、第２の基地局からリソースステータスメッセージを受信することと、
前記第１の基地局におけるリソース使用に関係する１つまたは複数のパラメータを決定することと、
前記受信したリソースステータスメッセージと前記パラメータとに基づいて前記第１の基地局と前記第２の基地局との間の提案されるリソースパーティショニングを決定することと、
前記第１の基地局から前記第２の基地局に、前記提案されたリソースパーティショニングのインジケーションを送ることと
のためのコードを有するコンピュータ可読媒体
を備える、コンピュータプログラム製品。
［Ｃ１００］
前記第１の基地局において、前記提案されたリソースパーティショニングが前記第２の基地局によって承認されたという通知を受信するためのコードをさらに備える、上記Ｃ９９に記載のコンピュータプログラム製品。
［Ｃ１０１］
前記第１の基地局において、前記提案されたリソースパーティショニングが前記第２の基地局によって拒否されたという通知を受信することと、
前記第１の基地局と前記第２の基地局との間の他の提案されるリソースパーティショニングを決定することと、
前記第１の基地局から前記第２の基地局に、前記他の提案されたリソースパーティショニングの別のインジケーションを送ることと
のためのコードをさらに備える、上記Ｃ９９に記載のコンピュータプログラム製品。
［Ｃ１０２］
前記受信することの前に前記第１の基地局と前記第２の基地局との間の現在のリソースパーティショニングを決定するためのコードをさらに備え、前記提案されたリソースパーティショニングが前記現在のリソースパーティショニングとは異なる場合にのみ、前記提案されたリソースパーティショニングの前記インジケーションが送られる、上記Ｃ９９に記載のコンピュータプログラム製品。
［Ｃ１０３］
前記提案されたリソースパーティショニングの前記インジケーションがＸ２バックホールを通じて送られる、上記Ｃ９９に記載のコンピュータプログラム製品。
［Ｃ１０４］
前記提案されたリソースパーティショニングの前記インジケーションが無線メッセージ（ＯＡＭ）を通じて送られる、上記Ｃ９９に記載のコンピュータプログラム製品。
［Ｃ１０５］
前記第１の基地局と前記第２の基地局とを最初に関連付けるためにＸ２セットアッププロシージャを使用するためのコードをさらに備える、上記Ｃ９９に記載のコンピュータプログラム製品。
［Ｃ１０６］
前記使用することが、前記第１の基地局において、前記第２の基地局のクラスまたはアクセスモードのうちの少なくとも１つを受信することを含む、上記Ｃ１０５に記載のコンピュータプログラム製品。
［Ｃ１０７］
前記パラメータが、総物理リソースブロック（ＰＲＢ）使用、保証ビットレート（ＧＢＲ）ＰＲＢ使用、非ＧＢＲ  ＰＲＢ使用、キューイングされた専用トラフィックチャネル（ＤＴＣＨ）データを有するユーザ機器（ＵＥ）デバイスの平均数、ＧＢＲベアラに関する平均セルデータレート、または非ＧＢＲベアラに関する平均セルデータレートのうちの少なくとも１つを含む、上記Ｃ９９に記載のコンピュータプログラム製品。
［Ｃ１０８］
前記第１の基地局によってのみカバーされるエリア中のユーザ機器（ＵＥ）について前記第１の基地局によって決定される独立したリソースパーティショニングに基づいてリソースをスケジュールするためのコードをさらに備える、上記Ｃ９９に記載のコンピュータプログラム製品。
［Ｃ１０９］
前記提案されたリソースパーティショニングが、前記第１の基地局の１つまたは複数のオールモストブランクサブフレーム（ＡＢＳ）を含む、上記Ｃ９９に記載のコンピュータプログラム製品。
［Ｃ１１０］
前記提案されたリソースパーティショニングの前記インジケーションが、前記ＡＢＳを示す負荷情報メッセージを含む、上記Ｃ１０９に記載のコンピュータプログラム製品。
［Ｃ１１１］
前記負荷情報メッセージが、前記ＡＢＳを示す情報要素（ＩＥ）を含む、上記Ｃ１１０に記載のコンピュータプログラム製品。
［Ｃ１１２］
前記第１の基地局がマクロ基地局であり、前記第２の基地局がピコ基地局またはフェムト基地局である、上記Ｃ９９に記載のコンピュータプログラム製品。
【外国語明細書】
2015136134000001.pdf